(57)【要約】車両に搭載もしくは車室内で用いられる情報端末で利用されるサービスの取得にあたり、その利用可能性を事前に認知可能として、サービスの利便性を高めることのできるサービス配信装置が提供される。サービス配信装置（１００）は、車両の走行状態に対するサービスの利用条件を示す情報を、サービスに関連付けする情報関連付け部（１１０）を備える。サービス配信装置（１００）は、この情報関連付け部（１１０）によって関連付けされたサービスの利用条件を示す情報を、該当するサービスの内容と共々、情報端末（２００）の表示部（２５０）によって可視表示可能に、情報端末（２００）に対して配信する。
2012095944.tif 000002
【特許請求の範囲】
【請求項１】
車両に搭載もしくは車室内で用いられる情報端末で利用されるサービスを、それら情報端末に配信するサービス配信装置において、
前記車両の走行状態に対するサービスの利用条件もしくは利用環境を示す情報を、該当するサービスの内容と共々、前記情報端末にて可視表示可能にすべく前記情報端末に対して配信するサービス配信部を備える
ことを特徴とするサービス配信装置。
【請求項２】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項１に記載のサービス配信装置。
【請求項３】
請求項１または２に記載のサービス配信装置はさらに、前記車両の走行状態に対するサービスの利用条件もしくは利用環境を示す情報を、前記サービスに関連付けする情報関連付け部を備える
ことを特徴とするサービス配信装置。
【請求項４】
請求項３に記載のサービス配信装置はさらに、複数種のサービスが予め登録されたデータベースを備え、
前記情報関連付け部は、前記データベースに登録されたサービス毎に前記車両の走行状態に対する利用条件もしくは利用環境を示す情報を関連付けするように構成され、
前記サービス配信部は、前記情報端末からのサービスの配信要求に応じて前記データベースから該当するサービスと該サービスに関連付けされた前記利用条件もしくは前記利用環境を示す情報とを抽出し、この抽出したサービスの内容及びその利用条件もしくはその利用環境を示す情報を、前記情報端末にて可視表示可能に、情報端末に配信するものである
ことを特徴とするサービス配信装置。
【請求項５】
前記サービスは、車両用コンテンツもしくは車両用アプリケーションであり、
前記情報端末は、前記車両用コンテンツもしくは車両用アプリケーションを実行可能な車両用情報端末である
請求項１〜４のいずれか一項に記載のサービス配信装置。
【請求項６】
請求項１〜５のいずれか一項に記載のサービス配信装置はさらに、前記情報端末にて可視表示可能な画像情報を生成する画像情報生成部を備え、
前記画像情報生成部は、前記サービスが複数種のサービスであるとき、複数種のサービスの内容を、同時表示可能な表示形式の画像情報として生成するとともに、前記利用条件もしくは前記利用環境の互いに異なるサービスの内容を、各別の表示形式の画像情報として生成する
ことを特徴とするサービス配信装置。
【請求項７】
前記利用条件もしくは前記利用環境の互いに異なるサービスの内容についての各別の前記表示形式は、それらサービスの内容を、互いに異なる利用条件毎もしくは互いに異なる利用環境毎にグループ分けして示す表示形式である
請求項６に記載のサービス配信装置。
【請求項８】
前記利用条件もしくは前記利用環境の互いに異なるサービスの内容についての各別の前記表示形式は、それらサービスの内容を、互いに異なる配色で色分けして示す表示形式である
請求項６または７に記載のサービス配信装置。
【請求項９】
前記画像情報生成部は、前記サービスのうちで利用が一時的に規制されるサービスを示す画像情報として、該サービスの内容を点滅表示可能な表示形式の画像情報を生成する
請求項６〜８のいずれか一項に記載のサービス配信装置。
【請求項１０】
前記利用条件もしくは前記利用環境の互いに異なるサービスの内容についての各別の表示形式は、常時点灯表示及び点滅表示が可能な表示形式である
請求項６または７に記載のサービス配信装置。
【請求項１１】
前記車両の走行状態に対するサービスの利用条件を示す情報には、サービスを利用するための車両の走行条件が含まれ、
前記画像情報生成部は、前記サービスを利用するための車両の走行条件を可視表示可能な画像情報をさらに生成する
請求項６〜１０のいずれか一項に記載のサービス配信装置。
【請求項１２】
車両に搭載もしくは車室内で用いられる情報端末で利用されるサービスの内容を表示可能なサービス表示装置であって、
請求項１〜５のいずれか一項に記載のサービス配信装置から配信されたサービスの内容及びサービスの利用条件もしくは利用環境を示す情報に基づいて、該当するサービスの利用条件もしくは利用環境を示す情報を該当するサービスの内容と併せて表示する表示部を備える
ことを特徴とするサービス表示装置。
【請求項１３】
前記表示部は、複数種のサービスの内容を同時に表示するように構成され、それらサービスの内容の同時の表示に際し、利用条件もしくは利用環境の互いに異なるサービスの内容を各別の表示態様にて表示する
請求項１２に記載のサービス表示装置。
【請求項１４】
前記利用条件もしくは前記利用環境の互いに異なるサービスの内容についての前記表示部による各別の表示態様での表示は、前記利用条件もしくは前記利用環境が互いに異なるグループのグループ分け表示である
請求項１３に記載のサービス表示装置。
【請求項１５】
前記利用条件もしくは前記利用環境の互いに異なるサービスの内容についての前記表示部による各別の表示態様での表示は、それらサービスの内容を、互いに異なる配色で色分けする表示である
請求項１３または１４に記載のサービス表示装置。
【請求項１６】
前記サービスには、前記車両が特定の状態にあるときに利用が一時的に規制されるサービスが含まれ、
前記表示部は、前記利用が一時的に規制されるサービスの内容を点滅表示する
請求項１３〜１５のいずれか一項に記載のサービス表示装置。
【請求項１７】
前記利用条件もしくは前記利用環境の互いに異なるサービスの内容についての前記表示部による各別の表示態様での前記表示は、常時点灯表示と点滅表示とが選択して用いられる判別表示である
請求項１３または１４に記載のサービス表示装置。
【請求項１８】
前記車両の走行状態に対するサービスの利用条件を示す前記情報には、サービスを利用するための車両の走行条件が含まれ、
前記表示部は、前記サービスを利用するための車両の走行条件を併せて表示する
請求項１２〜１７のいずれか一項に記載のサービス表示装置。
【請求項１９】
前記表示部は、車両に搭載された前記情報端末に設けられてなる
請求項１２〜１８のいずれか一項に記載のサービス表示装置。
【請求項２０】
車両に搭載もしくは車室内で用いられる情報端末で利用されるサービスの内容を表示可能なサービス表示装置であって、
前記車両の走行状態に対するサービスの利用条件もしくは利用環境を判別する判別部と、
前記判別部にて判別された利用条件もしくは利用環境を示す情報を、該当するサービスの内容と併せて表示する表示部と、を備える
ことを特徴とするサービス表示装置。
【請求項２１】
請求項２０に記載のサービス表示装置はさらに、
前記車両の走行条件に対するサービスの利用条件もしくは利用環境が登録されたテーブルを備え、
前記判別部は、前記テーブルを参照して前記利用条件もしくは前記利用環境を判別する
ことを特徴とするサービス表示装置。
【請求項２２】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項２０または２１に記載のサービス表示装置。
【請求項２３】
前記表示部は、複数種のサービスの内容を同時に表示するように構成され、それらサービスの内容の同時の表示に際し、前記判別部にて判別された利用条件もしくは利用環境の互いに異なるサービスの内容を、各別の表示態様にて表示する
請求項２２に記載のサービス表示装置。
【請求項２４】
前記利用条件もしくは前記利用環境の互いに異なるサービスの内容についての前記表示部による各別の表示態様での前記表示は、前記利用条件もしくは前記利用環境が互いに異なるグループ毎に前記サービスの内容を分けて示すグループ分け表示である
請求項２３に記載のサービス表示装置。
【請求項２５】
前記利用条件もしくは前記利用環境の互いに異なるサービスの内容についての前記表示部による各別の表示態様での前記表示は、それらサービスの内容を、互いに異なる配色で色分けする表示である
請求項２３または２４に記載のサービス表示装置。
【請求項２６】
前記判別部は、前記車両の走行状態に対するサービスの利用条件を示す情報の中から車両が特定の状態にあるときに利用が一時的に規制されるサービスを判別する機能をさらに有し、
前記表示部は、前記利用が一時的に規制されるサービスの内容を点滅表示する
請求項２３〜２５のいずれか一項に記載のサービス表示装置。
【請求項２７】
前記利用条件もしくは前記利用環境の互いに異なるサービスの内容についての前記表示部による各別の表示態様での前記表示は、常時点灯表示と点滅表示とが選択して用いられる判別表示である
請求項２３または２４に記載のサービス表示装置。
【請求項２８】
前記判別部は、前記車両の走行状態に対するサービスの利用条件を示す情報として、サービスを利用するための車両の走行条件を併せて判別するように構成され、
前記表示部は、前記サービスを利用するために前記判別部にて判別される車両の走行条件を併せて表示する
請求項２０〜２７のいずれか一項に記載のサービス表示装置。
【請求項２９】
前記表示部は、車両に搭載された前記情報端末に設けられてなる
請求項２０〜２８のいずれか一項に記載のサービス表示装置。
【発明の詳細な説明】
【技術分野】
【０００１】
本発明は、サービス配信装置及びサービス表示装置に関し、特に車載情報端末で利用されるサービスに適用して有益なサービス配信装置及びサービス表示装置に関する。
【背景技術】
【０００２】
例えば、近年の携帯電話機等の情報端末は、当該情報端末で利用可能なアプリケーションやコンテンツ等のサービスを実行するためのプログラムを、専用のベンダーが備えるサーバからネットワークを介してダウンロードすることにより、新規の機能が追加可能となっている。【０００３】
また最近では、こうしたアプリケーションやコンテンツ等のサービスが、自動車等の車両に搭載された車両用情報端末でも利用可能になりつつある。そして新規の機能を追加するためにはこうした車両用情報端末も、それらサービスを実行するためのプログラムを、専用のベンダーが備えるサーバからネットワークを介してダウンロードすることになる。【０００４】
一方、こうしたサービスの利用に供される情報端末が走行中の車両の車室内で使用される際には、同車両の走行状態に応じて利用可能なサービスを情報端末が自動的に制限することにより、車両操作への注力を促すことも提案されている。こうした情報端末としては、例えば特許文献１に記載の情報端末（アプリ実行装置）が知られている。【０００５】
この特許文献１に記載の情報端末（アプリ実行装置）は、本願の図１７に示すように、例えば、カーナビゲーション装置等によって構成される車載用のアプリ実行装置１を備えており、アプリ実行装置１は、このアプリ実行装置１で実行されるアプリケーションプログラムを、ベンダーが備えるサーバ２からダウンロードするようにしている。そして、アプリケーションのダウンロードに際しては、サーバ２から配信可能なアプリケーションの一覧画面が、アプリ実行装置１の図示しない表示装置に表示され、ユーザは、この表示されたアプリケーションから任意のアプリケーションを選択すべくアプリ実行装置１を操作する。こうしたアプリケーションの選択操作が行われることにより、サーバ２との無線通信機能を有するアプリ実行装置１のアプリ追加部１１から、サーバ２に対してアプリケーションの配信要求が行われ、この要求に応じたアプリケーションが、サーバ２から配信される。この配信されたアプリケーションは、アプリ追加部１１により取得されてアプリ実行装置１のアプリ記憶部１２に追加される。【０００６】
また、アプリ実行装置１は、アプリケーションの動作を管理するアプリ管理部１５内に、当該車両の走行状態を検出する車両状態検出部１３による検出結果に基づいてアプリケーションプログラムの動作を制御する動作制御部１４を備えている。そして、この動作制御部１４は、複雑な操作を要するために車両操作に影響を与える虞のあるアプリケーションプログラムの起動許可を、車両が走行中ではないと判定されたときに限ってアプリ実行部１６に与える。これにより、アプリ実行装置１が搭載された車両の走行時には、車両操作に支障をきたす虞のあるアプリケーションの利用が制限され、ドライバによる車両操作の集中力が担保されるようになる。
【先行技術文献】
【特許文献】
【０００７】
【特許文献１】特開２００５−２８９９７号公報
【発明の概要】
【発明が解決しようとする課題】
【０００８】
ところで通常、ドライバや車両の同乗者といった利用者は、こうしたアプリケーションの利用に対する車両の走行中の規制の有無を、これらアプリケーションを利用しようとする際にはじめて認知することが可能となる。このため、走行中の車両のドライバがそれらアプリケーションプログラムを利用すべく、同アプリケーションプログラムをネットワーク等を通じて情報端末に取得つまりダウンロードしたとしても、このアプリケーションプログラムが走行中の規制の対象となるときには、ドライバや同乗者はこのアプリケーションプログラムを利用することができない。すなわちこのような場合、ユーザは利用することのできないアプリケーションプログラムをダウンロードしてしまったこととなり、アプリケーションやコンテンツ等のサービスを車両で利用する上で、無駄な操作をしたことにより便宜性が低下することとなっていた。【０００９】
本発明は、このような実情に鑑みてなされたものであり、その目的は、車両に搭載もしくは車室内で用いられる情報端末で利用されるサービスの取得にあたり、その利用可能性を事前に認知可能として、サービスの利便性を高めることのできるサービス配信装置及びサービス表示装置を提供することにある。
【課題を解決するための手段】
【００１０】
上記目的を達成するため、本発明に従うサービス配信装置は、車両に搭載もしくは車室内で用いられる情報端末で利用されるサービスを、それら情報端末に配信するサービス配信装置であって、前記車両の走行状態に対するサービスの利用条件もしくは利用環境を示す情報を、該当するサービスの内容と共々、前記情報端末にて可視表示可能にすべく前記情報端末に対して配信するサービス配信部を備える。【００１１】
上記構成によれば、サービス配信部から情報端末に対して配信されるサービスには、車両の走行状態に対するサービスの利用条件や利用環境を示す情報が関連付けられる。そして、こうしたサービスの利用条件や利用環境の内容を示す情報は、該当するサービスの内容とともに上記情報端末に可視表示可能なように、サービス配信部から該当する情報端末に対して配信される。そのため、情報端末では、同情報端末での利用条件や利用環境を示す情報が、該当するサービスの内容とともに可視表示される。このため、情報端末の利用者（ユーザ）は、同情報端末で利用するサービスの取得にあたり、その利用条件や利用環境を示す情報に基づいて、同サービスの利用可能性を事前に認知可能となる。よって、ユーザは、情報端末での利用可能性を有したサービスを選択的にサービス配信部から取得することが可能となり、同情報端末で利用することができないサービスやそのときの環境下では利用が適さないサービスを上記サービス配信装置から不要に取得することが抑制される。これにより情報端末は、利用可能性に見合ったサービスをサービス配信装置から取得することが可能となり、ひいては、サービスの利便性を高めることが可能となる。【００１２】
本発明の一態様では、前記車両の走行状態に対するサービスの利用条件を示す前記情報は、前記車両の走行状態に応じた利用の可否を示す情報であり、前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である。【００１３】
例えば、車両が走行状態にあるときには、車両操作に支障をきたす虞のあるサービスの利用を規制することが望ましく、車両が走行状態にあるときにはこうしたサービスの利用可能性は低い。一方、車両が走行状態にあっても、車両操作に支障をきたす虞のないサービスの利用を規制する必要性は少なく、車両が走行状態であってもこうしたサービスの利用可能性は高い。そこで、上記構成によるようにサービス配信装置は、上記サービスの利用条件を示す情報として、車両の走行状態に応じた利用の可否を示す情報を、同サービスの内容と共に情報端末に提供することとすれば、車両の走行状態に応じて利用の可否が相違する各別のサービスの利用形態を、当該サービスの利用者に事前に認知させることが可能となる。これにより情報端末は、情報端末にて取得可能なサービスとその利用の可否とを併せて可視表示することが可能となり、サービスの取得に先立ち同サービスの利用の可否を事前に利用者に認知させることが可能となる。【００１４】
また、こうした利用規制が設定されていないサービスであっても、これらサービスのうちには、車両の走行状態に拘わらず利用することが有益なサービスと、車両の走行時のみに利用することが有益なサービスと、車両の停車時のみに利用することが有益なサービス等が存在する。そこで、上記構成によるようにサービス配信装置は、上記サービスの利用環境を示す情報として、サービスの利用目的に適した車両の走行状態、すなわちサービスの利用環境を示す情報を、同サービスの内容と共に情報端末に提供する。このため情報端末は、車両の走行状態に応じて相違する各別のサービスの利用形態を、当該サービスの利用者に事前に認知させることが可能となる。これにより情報端末は、情報端末にて取得可能なサービスとその利用目的に適した車両の状態とを併せて可視表示することが可能となり、サービスの取得に先立ち同サービスの利用目的に適した車両の状態を事前に利用者に認知させることが可能となる。【００１５】
本発明の一態様ではサービス配信装置はさらに、前記車両の走行状態に対するサービスの利用条件もしくは利用環境を示す情報を、前記サービスに関連付けする情報関連付け部を備える。【００１６】
上記構成によれば、上記情報関連付け部によって、車両の走行状態に対するサービスの利用条件もしくは利用環境を示す情報がサービスに自動的に付与される。これにより、上記サービス配信装置が配信可能なサービスの利用条件や利用環境を、その管理者等が設定、把握する必要もなく、サービス配信装置は、サービスの利用可能性を利用者に認知可能にさせる情報の配信を、より容易に実現することが可能となる。【００１７】
本発明の一態様では、前記サービス配信装置はさらに、複数種のサービスが予め登録されたデータベースを備え、前記情報関連付け部は、前記データベースに登録されたサービス毎に前記車両の走行状態に対する利用条件もしくは利用環境を示す前記情報を関連付けするように構成され、前記サービス配信部は、前記情報端末からのサービスの配信要求に応じて前記データベースから該当するサービスと、該サービスに関連付けされた前記利用条件もしくは利用環境を示す情報とを抽出し、この抽出したサービスの内容及びその利用条件もしくはその利用環境を示す情報を、前記情報端末にて可視表示可能なように情報端末に配信するものである。【００１８】
本発明は、サービス配信装置が複数種のサービスを配信する場合に適用して特に有効である。すなわち、上記構成によれば、サービスの利用者は、サービス配信装置から情報端末を介して取得可能なサービスが複数存在したとしても、それらの利用条件や利用環境を踏まえて、任意のサービスを取得することが可能となる。【００１９】
本発明の一態様では、前記サービスは、車両用コンテンツもしくは車両用アプリケーションであり、前記情報端末は、前記車両用コンテンツもしくは車両用アプリケーションを実行可能な車両用情報端末である。【００２０】
車両用コンテンツもしくは車両用アプリケーションには、車両走行中に利用が許可されるものと、車両走行中の利用が禁止されるものとが存在する。また、車両用コンテンツもしくは車両用アプリケーションには、例えば、車両走行中の利用に適したものや、停車時の利用に適したもの、さらには車両走行時にも停車時にも利用される常時利用に適したものが存在する。そこで、上記構成によれば車両用情報端末が、車両用情報端末で実行する車両用コンテンツもしくは車両用アプリケーションをサービス配信装置から取得する場合であれ、利用者は、それらコンテンツやアプリケーションの利用可能性を、これらコンテンツやアプリケーションを情報端末が取得する前に認知することが可能となる。【００２１】
本発明の一態様では、サービス配信装置はさらに、前記情報端末にて可視表示可能な画像情報を生成する画像情報生成部を備え、前記画像情報生成部は、前記サービスが複数種のサービスであるとき、前記画像情報として、複数種のサービスの内容を同時表示可能な表示形式の画像情報として生成するとともに、前記利用条件もしくは前記利用環境の互いに異なるサービスの内容を各別の表示形式の画像情報として生成する。【００２２】
本発明は、上記サービス配信部により配信されるサービスが複数種のサービスである場合に適用して特に有効である。すなわち、上記構成によればサービス配信装置は、情報端末によって同時表示される複数種のサービスの利用条件や利用環境が互いに異なる場合であっても、それらサービスの内容を示す画像情報を、サービスそれぞれの利用条件や利用環境に応じた表示形式の情報として配信することが可能である。このため上記情報端末が、利用条件や利用環境の互いに異なる複数種のサービスを同時表示する場合であれ、利用者は、車両の走行状態に対して利用可能性の高いサービスや利用可能性の低いサービスを識別することが可能となる。これにより、サービスの利用者は、情報端末を介して取得可能なサービスが複数存在したとしても、それらの利用条件や利用環境を踏まえて、任意のサービスをサービス配信装置から取得することが可能となる。【００２３】
本発明の一態様では、前記利用条件もしくは前記利用環境の互いに異なるサービスの内容についての各別の表示形式は、それらサービスの内容を、互いに異なる利用条件毎もしくは互いに異なる利用環境毎にグループ分けして示す表示形式である。【００２４】
上記構成によれば画像情報生成部は、上記画像情報を、利用条件もしくは利用環境の互いに異なるサービスの内容を利用条件毎もしくは利用環境毎にグループ分け可能な表示形式の画像情報として生成する。このため、こうした画像情報を表示する上記情報端末は、例えば、車両の走行状態に対して利用可能なサービスと、利用不可能なサービスとをグループ分けして一覧表示することが可能となる。また、こうした画像情報を表示する上記情報端末は、例えば、車両の走行状態に対して利用に適するサービスと、利用に適さないサービスとをグループ分けして一覧表示することが可能となる。すなわち利用者は、情報端末が表示する複数のサービスの利用条件毎や利用環境毎の一覧表示を通じて、それらサービスの利用条件や利用環境を容易に把握することが可能となる。【００２５】
本発明の一態様では、前記利用条件もしくは前記利用環境の互いに異なるサービスの内容についての各別の表示形式は、それらサービスの内容を、互いに異なる配色で色分けして示す表示形式である。【００２６】
上記構成によれば画像情報生成部は、上記画像情報を、利用条件や利用環境の互いに異なるサービスの内容を利用条件毎もしくは利用環境毎に互いに異なる配色で色分け可能な表示形式の画像情報として生成する。このため、こうした画像情報を表示する上記情報端末は、例えば、車両の走行状態に対して利用可能なサービスと、利用不可能なサービスとを色分けして同時表示することが可能となる。また、こうした画像情報を表示する上記情報端末は、例えば、車両の走行状態に対して利用に適するサービスと、利用に適さないサービスとを色分けして同時表示することが可能となる。これにより利用者は、色覚を通じて、同時表示される複数のサービスの利用条件や利用環境を識別することが可能となる。【００２７】
本発明の一態様では、前記画像情報生成部は、前記サービスのうちで利用が一時的に規制されるサービスを示す画像情報として、該サービスの内容を点滅表示可能な表示形式の画像情報を生成する。【００２８】
サービスとしては、例えば、車両の走行状態に拘らず利用が許可されるサービスや、車両が走行状態であるときには画一的に利用が制限されるサービスが存在する。また、例えば、車両の走行速度が一定の速度以上であるなど車両が特定の走行状態にあるときに一時的に利用が制限される特殊なサービスも存在する。そこで、上記構成によれば、上記情報端末は、上記画像情報生成部によって生成された画像情報に基づいて、利用が一時的に規制される特殊なサービスの利用条件をさらに識別しやすいように識別表示することが可能となる。これにより、車両の走行状態に対して相違するサービスの利用条件を示す情報を、情報端末が表示する態様が拡充されるようになる。【００２９】
本発明の一態様では、前記利用条件もしくは前記利用環境の互いに異なるサービスの内容についての各別の表示形式は、常時点灯表示及び点滅表示のうちから選択することが可能な表示形式である。【００３０】
上記構成によれば画像情報生成部は、上記画像情報を、利用条件や利用環境の互いに異なるサービスの内容を利用条件や利用環境に応じて常時点灯表示及び点滅表示のうちの何れかを選択して表示することが可能な表示形式の画像情報として生成する。このため、こうした画像情報を表示する上記情報端末は、例えば、車両の走行状態に対して利用可能なサービスと、利用不可能なサービスとを、点滅の有無等に基づいて利用者が判別可能なように表示する。また、こうした画像情報を表示する上記情報端末は、例えば、車両の走行状態に対して利用に適するサービスと、利用に適さないサービスとを、点滅の有無等に基づいて利用者が判別可能なように表示する。これにより利用者は、点滅の有無等に基づいて、同時表示される複数のサービスの利用条件や利用環境を判別することが可能となる。【００３１】
本発明の一態様では、前記車両の走行状態に対するサービスの利用条件を示す情報には、サービスを利用するための車両の走行条件を含み、前記画像情報生成部は、前記サービスを利用するための車両の走行条件を可視表示可能な画像情報をさらに生成する。【００３２】
上記構成によれば画像情報生成部は、上記画像情報として、サービスを利用するための車両の走行条件を可視表示可能な画像情報を生成する。このため、こうした画像情報を表示する上記情報端末は、例えば、各サービスを利用するための車両の走行条件を、該当するサービスの内容と共に表示する。このため、例えば情報端末は、車両が停車状態にあるときにのみ利用が許可されるサービスについて、同サービスの内容やその名称と共に、同サービスを利用するための走行条件として「利用条件：停車状態」等の旨を表示する。「利用条件：停車状態」との表示は、車両が停車状態であることがサービスの利用条件であると意味する。また、例えば情報端末は、車両の走行速度が「１０ｋｍ／ｈ」以下であるときにのみ利用が許可されるサービスについて、同サービスの内容やその名称と共に、同サービスを利用するための走行条件として「利用条件：走行速度１０ｋｍ／ｈ」等の旨を表示する。これにより、サービスの利用者は、サービス配信装置から取得しようとするサービスを利用するための走行条件を、事前に認知することが可能となる。【００３３】
上記目的を達成するため、本発明に従うサービス表示装置は、車両に搭載もしくは車室内で用いられる情報端末で利用されるサービスの内容を表示可能なサービス表示装置であって、当該サービス表示装置は、上記サービス配信装置から配信されたサービスの内容及びサービスの利用条件もしくは利用環境を示す情報に基づいて、該当するサービスの利用条件もしくは利用環境を示す情報を該当するサービスの内容と併せて表示する表示部を備える。【００３４】
上記構成によればサービス表示装置の表示部は、上記サービス配信装置から配信されたサービスの内容及びサービスの利用条件や利用環境を示す情報に基づいて、該当するサービスの内容を示す情報を表示する。すなわち、表示部は、情報端末での利用条件や利用環境を示す情報を、該当するサービスの内容とともに可視表示する。このため、情報端末のユーザは、同情報端末で利用するサービスの取得にあたり、その利用条件や利用環境を示す情報に基づいて、同サービスの利用可能性を事前に認知可能となる。よって情報端末は、情報端末での利用可能性を有したサービスを選択的に取得することが可能となる。つまり情報端末は、同情報端末では利用することができないサービスや、現在の環境下では利用することが適さないサービスを不要に取得することが抑制される。これにより情報端末は、利用可能性に見合ったサービスをサービス配信装置から取得することが可能となり、ひいては、サービスの利便性を高めることが可能となる。【００３５】
本発明の一態様では、前記表示部は、複数種のサービスの内容を同時に表示するように構成され、それらサービスの内容の同時の表示に際し、利用条件もしくは利用環境の互いに異なるサービスの内容を各別の表示態様にて表示する。【００３６】
本発明は、上述のように表示部が、複数種のサービスの内容を同時に表示する場合に適用して特に有効である。すなわち、上記構成によれば表示部は、同時表示される複数種のサービスの利用条件や利用環境が互いに異なる場合であっても、それらサービスの内容を、利用条件や利用環境に応じた表示態様で表示する。このため表示部が、利用条件の互いに異なる複数種のサービスを同時表示する場合であれ、利用者は、車両の走行状態に対して利用可能性の高いサービスや利用可能性の低いサービスを識別することが可能となる。また利用者は、利用環境の互いに異なる複数種のサービスを表示部が同時表示する場合であれ、車両の走行状態に対して利用に適したサービスや、利用に適さないサービスを識別することが可能となる。これにより、サービスの利用者は、情報端末を介して取得可能なサービスが複数存在したとしても、それらの利用条件や利用環境を踏まえて、任意のサービスをサービス配信装置から取得することが可能となる。【００３７】
本発明の一態様では、前記利用条件もしくは前記利用環境の互いに異なるサービスの内容についての前記表示部による各別の表示態様での表示は、前記利用条件もしくは前記利用環境が互いに異なるグループのグループ分け表示である。【００３８】
上記構成によれば表示部は、利用条件や利用環境の互いに異なるサービスの内容を、利用条件毎や利用環境毎にグループ分け表示する。このため表示部は、例えば、車両の走行状態に対して利用可能なサービスと、利用不可能なサービスとをグループ分けして一覧表示することが可能となる。また表示部、例えば、車両の走行状態に対して利用に適したサービスと、利用に適さないサービスとをグループ分けして一覧表示することが可能となる。すなわち利用者は、情報端末の表示部による複数のサービスの利用条件毎や利用環境毎の一覧表示を通じて、それらサービスの利用条件や利用環境を容易に把握することが可能となる。【００３９】
本発明の一態様では、前記利用条件もしくは前記利用環境の互いに異なるサービスの内容についての前記表示部による各別の表示態様での表示は、それらサービスの内容を、互いに異なる配色で色分けする表示である。【００４０】
上記構成によれば表示部は、利用条件や利用環境の互いに異なるサービスの内容を、利用条件毎もしくは利用環境毎に互いに異なる配色で色分け表示する。このため表示部は、例えば、車両の走行状態に対して利用可能なサービスと、利用不可能なサービスとを色分けして同時表示することが可能となる。また、例えば表示部は、車両の走行状態に対して利用に適したサービスと、利用に適さないサービスとを色分けして同時表示することが可能となる。これにより利用者は、表示部によって同時表示される複数のサービスの利用条件や利用環境を、色覚を通じて識別することが可能となる。【００４１】
本発明の一態様では、前記サービスは、前記車両が特定の状態にあるときに利用が一時的に規制されるサービスを含み、前記表示部は、前記利用が一時的に規制されるサービスの内容を点滅表示する。【００４２】
上記サービスとしては、例えば、車両の走行状態に拘らず利用が許可されるサービスや、車両が走行状態であるときには画一的に利用が制限されるサービスが存在する。また、例えば、車両の走行速度が一定の速度以上であるなど、車両が特定の走行状態にあるときに一時的に利用が制限されるサービスも存在する。そこで、上記構成によるように表示部は、利用が一時的に規制されるサービスの内容を点滅表示することとすれば、例えば利用者は、こうした特殊なサービスの利用条件をさらに識別表示することが可能となる。これにより、表示部が車両の走行状態に対して相違するサービスの利用条件を示す情報の表示態様は、拡充されるようになる。【００４３】
本発明の一態様では、前記利用条件もしくは前記利用環境の互いに異なるサービスの内容についての前記表示部による各別の表示態様での表示は、常時点灯表示と点滅表示とが選択して用いられる判別表示である。【００４４】
上記構成によれば表示部は、利用条件や利用環境の互いに異なるサービスの内容を、常時点灯表示と点滅表示とにより判別表示する。このため、例えば利用者は、車両の走行状態に対して利用可能なサービスと、利用不可能なサービスとを表示部による点滅の有無等に基づいて判別することが可能となる。また、例えば利用者は、車両の走行状態に対して利用に適したサービスと、利用に適さないサービスとを、表示部による点滅の有無等に基づいて判別することが可能となる。これにより利用者は、表示部による点滅の有無等に基づいて、同時表示される複数のサービスの利用条件や利用環境を判別することが可能となる。【００４５】
本発明の一態様では、前記車両の走行状態に対するサービスの利用条件を示す情報は、サービスを利用するための車両の走行条件を含み、前記表示部は、前記サービスを利用するための車両の走行条件を併せて表示する。【００４６】
上記構成によれば、上記表示部は、各サービスを利用するための車両の走行条件を、該当するサービスの内容と共に表示する。このため表示部は、例えば、車両が停車状態のときにのみ利用が許可されるサービスに対しては、同サービスの内容やその名称と共に、同サービスを利用するための走行条件として「利用条件：停車状態」等の旨を表示する。また表示部は、例えば、車両の走行速度が「１０ｋｍ／ｈ」以下であるときにのみ利用が許可されるサービスに対しては、同サービスの内容やその名称と共に、同サービスを利用するための走行条件として「利用条件：走行速度１０ｋｍ／ｈ」等の旨を表示する。これにより、サービスの利用者は、サービス配信装置から取得しようとするサービスを利用するための走行条件を、事前に認知することが可能となる。【００４７】
本発明の一態様では、前記表示部は、車両に搭載された情報端末に設けられてなる。
上記構成によれば、上記表示部は、車両に搭載された情報端末に設けられる。すなわち、サービスを利用する情報端末は、同情報端末で利用されるサービスの利用条件や利用環境を示す情報を表示する表示部と一体に構成される。これにより、例えば情報端末は、車両用の情報端末によって利用される車両用コンテンツもしくは車両用アプリケーション等のサービスの利用画面を、それらの利用条件や利用環境の表示画面と共有することが可能となる。【００４８】
上記目的を達成するため、本発明に従うサービス表示装置は、車両に搭載もしくは車室内で用いられる情報端末で利用されるサービスの内容を表示可能に構成され、当該サービス表示装置は、前記車両の走行状態に対するサービスの利用条件もしくは利用環境を判別する判別部と、前記判別部にて判別された利用条件もしくは利用環境を示す情報を該当するサービスの内容と併せて表示する表示部とを備える。【００４９】
上記構成によればサービス表示装置の上記判別部が、情報端末で利用されるサービスの利用条件や利用環境を判別する。そして表示部が、この判別されたサービスの利用条件や利用環境を示す情報を、該当するサービスの内容と併せて表示する。すなわちサービス表示装置に搭載された上記判別部が、情報端末を介して提供されるサービスの利用条件や利用環境を判別することにより、表示部は、情報端末での利用条件や利用環境を示す情報を、該当するサービスの内容とともに可視表示する。このため、情報端末の利用者は、同情報端末で利用するサービスを取得するにあたり、そのサービスの利用条件や利用環境を示す情報に基づいて、同サービスの利用可能性を事前に認知可能となる。よって利用者は、利用可能性を有したサービスを、情報端末によって選択的に取得することが可能となる。つまり利用者は、利用することができないサービスや現在の環境下では、利用が適さないサービスを情報端末によって不要に取得することが抑制される。これにより利用者は、利用可能性に見合ったサービスを取得することが可能となり、ひいては、サービスの利便性を高めることが可能となる。【００５０】
本発明の一態様では、前記サービス表示装置はさらに、前記車両の走行条件に対するサービスの利用条件もしくは利用環境が登録されたテーブルを備え、前記判別部は、前記テーブルを参照して前記利用条件もしくは前記利用環境を判別する。【００５１】
上記構成によれば、上記テーブルは、車両の走行条件に対するサービスの利用条件や利用環境を登録する。そして判別部は、サービスの利用条件や利用環境を判別するに際してこのテーブルを参照することによって、サービス毎の利用条件や利用環境を判別する。これにより上記判別部は、テーブルに登録された利用条件や利用環境を照合するといった簡易な処理を通じて、サービスの利用条件や利用環境を判別することが可能となる。【００５２】
本発明の一態様では、前記車両の走行状態に対するサービスの利用条件を示す前記情報は、前記車両の走行状態に応じた利用の可否を示す情報であり、前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である。【００５３】
例えば、車両が走行状態にあるときには、利用者は、車両操作に支障をきたす虞のあるサービスを利用することが規制されることが望ましいため、車両が走行状態にあるときにはこうしたサービスの利用可能性は低い。一方、車両が走行状態にあっても、車両操作に支障をきたす虞のないサービスの利用を規制する必要性は少ないため、車両が走行状態であってもこうしたサービスの利用可能性は高い。そこで、上記構成によるように表示部は、上記サービスの利用条件を示す情報として、車両の走行状態に応じた利用の可否を示す情報を、同サービスの内容と共に提供することとすれば、車両の走行状態に応じて利用の可否が相違するサービスの利用形態をその利用者に事前に認知させることが可能となる。これにより表示部は、情報端末にて取得可能なサービスと、その利用の可否とを併せて可視表示することが可能となり、利用者は、サービス配信装置からサービスを取得することに先立ち、同サービスの利用の可否を事前に認知することが可能となる。【００５４】
また、こうした利用規制が設定されていないサービスであっても、上記サービスのうちには、車両の走行状態に拘わらず利用者が利用することが有益なサービスや、車両の走行時のみに利用者が利用することが有益なサービス、あるいは車両の停車時のみに利用者が利用することが有益なサービス等が存在する。そこで、上記構成によるようにサービス表示装置は、上記サービスの利用環境を示す情報として、サービスの利用目的に適した車両の走行状態すなわちサービスの利用環境を示す情報を、同サービスの内容と共に情報端末に提供する。このためサービス表示装置は、車両の走行状態に応じて相違するサービスの利用形態を、当該サービスの利用者に事前に認知させることが可能となる。これにより表示部は、情報端末にて取得可能なサービスと、その利用目的に適した車両の状態とを併せて情報端末において可視表示することが可能となる。よってサービス表示装置は、情報端末がサービス配信装置からサービスを取得するに先立ち、同サービスの利用目的に適した車両の状態を事前に利用者に認知させることが可能となる。【００５５】
本発明の一態様では、前記表示部は、複数種のサービスの内容を同時に表示するように構成され、それらサービスの内容の同時の表示に際し、前記判別部にて判別された利用条件もしくは利用環境の互いに異なるサービスの内容を各別の表示態様にて表示する。【００５６】
本発明は、上述のように、サービス表示装置が複数種のサービスの内容を同時に表示する場合に適用して特に有効である。すなわち、上記構成によればサービス表示装置は、同時表示される複数種のサービスの利用条件や利用環境が互いに異なる場合であっても、それらサービスの内容を、利用条件や利用環境に応じた表示態様で表示する。このためサービス表示装置が、利用条件の互いに異なる複数種のサービスを同時表示される場合であれ、サービスの利用者は、車両の走行状態に対して利用可能性の高いサービスや利用可能性の低いサービスを判別することが可能となる。またサービス表示装置が、利用環境の互いに異なる複数種のサービスを同時表示する場合であれ、利用者は、車両の走行状態に対して利用に適したサービスや利用に適さないサービスを判別することが可能となる。これにより、利用者は、情報端末を介して取得可能なサービスが複数存在したとしても、それらの利用条件や利用環境を踏まえて、任意のサービスをサービス配信装置から取得することが可能となる。【００５７】
本発明の一態様では、前記利用条件もしくは前記利用環境の互いに異なるサービスの内容についての前記表示部による各別の表示態様での前記表示は、前記利用条件もしくは前記利用環境が互いに異なるグループ毎に前記サービスの内容を分けて示すグループ分け表示である。【００５８】
上記構成によれば、サービス表示装置は、利用条件や利用環境の互いに異なるサービスの内容を、利用条件毎もしくは利用環境毎にグループ分け表示する。このためサービス表示装置は、例えば、車両の走行状態に対して利用可能なサービスと利用不可能なサービスとを、グループ分けして一覧表示することが可能となる。また、例えばサービス表示装置は、車両の走行状態に対して利用に適したサービスと、利用に適さないサービスとをグループ分けして一覧表示することが可能となる。すなわち利用者は、サービス表示装置による複数のサービスの利用条件毎や利用環境毎の一覧表示を通じて、それらサービスの利用条件や利用環境を容易に把握することが可能となる。【００５９】
本発明の一態様では、前記利用条件もしくは前記利用環境の互いに異なるサービスの内容についての前記表示部による各別の表示態様での表示は、それらサービスの内容を、互いに異なる配色で色分けする表示である。【００６０】
上記構成によればサービス表示装置は、利用条件や利用環境の互いに異なるサービスの内容を、利用条件毎や利用環境毎に互いに異なる配色で色分け表示する。このためサービス表示装置は、例えば、車両の走行状態に対して利用可能なサービスと利用不可能なサービスとを、色分けして同時表示することが可能となる。また、例えばサービス表示装置は、車両の走行状態に対して利用に適したサービスと、利用に適さないサービスとを色分けして同時表示することが可能となる。これにより利用者は、同時表示される複数のサービスの利用条件や利用環境を、色覚を通じて判別することが可能となる。【００６１】
本発明の一態様では、前記判別部は、前記車両の走行状態に対するサービスの利用条件を示す情報の中から車両が特定の状態にあるときに利用が一時的に規制されるサービスを判別する機能をさらに有し、前記表示部は、前記利用が一時的に規制されるサービスの内容を点滅表示する。【００６２】
上記サービスとしては、例えば、車両の走行状態に拘らず利用が許可されるサービスや、車両が走行状態であるときには画一的に利用が制限されるサービスが存在する。また、例えば、車両の走行速度が一定の速度以上であるなど車両が特定の走行状態にあるときに一時的に利用が制限されるサービスも存在する。そこで、上記構成によるようにサービス表示装置は、利用が一時的に規制されるサービスの内容を点滅表示することとすれば、例えば、こうした特殊なサービスの利用条件をさらに判別表示することが可能となる。これにより、サービス表示装置が車両の走行状態に対して互いに相違するサービスの利用条件を示す情報を表示する態様が、拡充されるようになる。【００６３】
本発明の一態様では、前記利用条件もしくは前記利用環境の互いに異なるサービスの内容についての前記表示部による各別の表示態様での表示は、常時点灯表示と点滅表示とが選択して用いられる判別表示である。【００６４】
上記構成によればサービス表示装置は、利用条件や利用環境の互いに異なるサービスの内容を、常時点灯表示と点滅表示とにより判別表示する。このため利用者は、例えば、車両の走行状態に対して利用可能なサービスと利用不可能なサービスとを、サービス表示装置による点滅の有無等に基づいて判別することが可能となる。また、例えば利用者は、車両の走行状態に対して利用に適したサービスと、利用に適さないサービスとを、サービス表示装置による点滅の有無等に基づいて判別することが可能となる。これにより利用者は、サービス表示装置による点滅の有無等に基づいて、同時表示される複数のサービスの利用条件や利用環境を判別することが可能となる。【００６５】
本発明の一態様では、前記判別部は、前記車両の走行状態に対するサービスの利用条件を示す情報として、サービスを利用するための車両の走行条件を併せて判別するように構成され、前記表示部は、前記サービスを利用するために前記判別部にて判別される車両の走行条件を併せて表示する。【００６６】
上記構成によれば、上記表示部は、各サービスを利用するための車両の走行条件を、該当するサービスの内容と共に表示する。このためサービス表示装置は、例えば、車両が停車状態にあるときにのみ利用が許可されるサービスに対しては、同サービスの内容やその名称と共に、同サービスを利用するための走行条件として「利用条件：停車状態」等の旨を表示する。また、例えばサービス表示装置は、車両の走行速度が「１０ｋｍ／ｈ」以下であるときにのみ利用が許可されるサービスに対しては、同サービスの内容やその名称と共に、同サービスを利用するための走行条件として「利用条件：走行速度１０ｋｍ／ｈ」等の旨を表示する。これにより、サービスの利用者は、サービス配信装置から取得しようとするサービスを利用するための走行条件を、事前に認知することが可能となる。【００６７】
本発明の一態様では、前記表示部は、車両に搭載された情報端末に設けられてなる。
上記構成によれば、上記表示部は、車両に搭載された情報端末に設けられる。すなわち、サービスを利用する情報端末は、同情報端末で利用されるサービスの利用条件や利用環境を示す情報を表示する表示部と一体に構成される。これにより情報端末は、例えば、車両用の情報端末で利用される車両用コンテンツもしくは車両用アプリケーション等のサービスの利用画面と、それらの利用条件もしくは利用環境の表示画面とを共有することが可能となる。
【図面の簡単な説明】
【００６８】
【図１】本発明にかかるサービス配信装置及びサービス表示装置の第１の実施形態について、その概略構成を示すブロック図。
【図２】同実施の形態のテーブルに登録されたサービスの内容とその利用条件の一例を示す図。
【図３】同実施の形態のサービス配信装置及びサービス表示装置の動作例を示すシーケンス図。
【図４】本発明にかかるサービス配信装置及びサービス表示装置の第１の実施例について、表示部に表示される画像情報の表示形式の一例を示す図。
【図５】本発明にかかるサービス配信装置及びサービス表示装置の第２の実施例について、表示部に表示される画像情報の表示形式の一例を示す図。
【図６】本発明にかかるサービス配信装置及びサービス表示装置の第３の実施例について、表示部に表示される画像情報の表示形式の一例を示す図。
【図７】本発明にかかるサービス配信装置及びサービス表示装置の第４の実施例について、表示部に表示される画像情報の表示形式の一例を示す図。
【図８】本発明にかかるサービス配信装置及びサービス表示装置の第５の実施例について、表示部に表示される画像情報の表示形式の一例を示す図。
【図９】本発明にかかるサービス配信装置及びサービス表示装置の第２の実施形態について、その概略構成を示すブロック図。
【図１０】本発明にかかるサービス配信装置及びサービス表示装置の第３の実施形態について、その概略構成を示すブロック図。
【図１１】本発明にかかるサービス配信装置及びサービス表示装置の他の実施形態について、表示部に表示される画像情報の表示形式の一例を示す図。
【図１２】本発明にかかるサービス配信装置及びサービス表示装置の他の実施形態について、（ａ）は、テーブルに登録されたサービスの内容とその利用条件の一例を示す図。（ｂ）は、表示部に表示されるサービスを利用するための車両の走行条件の一例を示す図。
【図１３】本発明にかかるサービス配信装置及びサービス表示装置の他の実施の形態について、表示部に表示される画像情報の表示形式の一例を示す図。
【図１４】本発明にかかるサービス配信装置及びサービス表示装置の他の実施の形態について、表示部に表示される画像情報の表示形式の一例を示す図。
【図１５】本発明にかかるサービス配信装置及びサービス表示装置の他の実施の形態について、表示部に表示される画像情報の表示形式の一例を示す図。
【図１６】本発明にかかるサービス配信装置及びサービス表示装置の他の実施の形態について、表示部に表示される画像情報の表示形式の一例を示す図。
【図１７】従来の情報端末（アプリ実行装置）について、その概略構成を示すブロック図。
【発明を実施するための形態】
【００６９】
（第１の実施形態）
以下、本発明にかかるサービス配信装置及びサービス表示装置を具体化した第１の実施の形態について図１〜図８を参照して説明する。
【００７０】
図１に示すように、本実施の形態のサービス配信装置１００は、車両に搭載される車両用の情報端末２００にインターネット等のネットワークを介して接続される管理センターである。サービス配信装置１００は、例えば車載ナビゲーション装置としての情報端末２００によって利用される車両用コンテンツや車両用アプリケーション等のサービスを情報端末２００に配信する提供サイト等を運営している。
【００７１】
すなわち、サービス配信装置１００は、情報端末２００が搭載される車両の走行状態に対するサービスの利用条件を示す情報を、情報端末２００等の端末で利用されるサービスに関連付ける情報関連付け部１１０を備えている。また、サービス配信装置１００は、情報端末２００に配信する複数種のサービスが登録されたデータベース１５０を備えている。なお、こうしたデータベース１５０に登録された「サービス」が、車両に搭載された情報端末２００で利用されることに鑑み、ドライバによる車両操作に支障をきたす虞のあるサービスには、車両の走行状態に応じて情報端末２００での利用が規制される利用条件（走行規制）が設定されている。
【００７２】
情報関連付け部１１０は、データベース１５０に登録されているサービス毎に、情報端末２００が搭載される車両の走行状態に対するサービスの利用条件を示す情報を関連付けて、この関連付けした情報をテーブル１１１に適宜登録する。
【００７３】
テーブル１１１には、例えば、図２に示すように、情報端末２００が搭載される車両が走行状態であるときに利用が規制されるサービスの内容、換言すれば、同車両が停車状態にあるときにのみ利用が許可されるサービスの名称等の内容として、「電子メール」、「セカイカメラ（登録商標）」、「為替案内」等のサービスの内容が登録されている。なお、こうしたサービスのうち、「セカイカメラ」は、現実世界にパーソナル・コンピュータによる付加情報を重ね合わせた体験をユーザに提供することが可能なサービスである。また、テーブル１１１には、情報端末２００が搭載される車両の走行状態に拘わらず常時利用可能、換言すれば、走行規制の対象にはならないサービスの内容として、自車両の燃料状態の表示に関するアプリケーションである「燃料表示」が登録されている。また同様に、テーブル１１１には、走行規制の対象にはならないサービスの内容として、ハイブリッド自動車においてエンジンとモーターとバッテリーの間でのエネルギーの流れをモニタするためのアプリケーションである「エネルギーフロー」等のサービスの内容が登録されている。さらに、テーブル１１１には、例えば、情報端末２００が搭載される車両の走行速度が所定の速度以上であるときや雨天時等の走行環境下で、ドライバが車両前方の視野に集中しやすいように一時的に利用が規制されるサービスの内容として、車両の瞬間燃費に関する情報を提供するサービスである「瞬間燃費」等のサービスの内容が登録されている。すなわち、こうした走行環境下で利用されると車両操作に影響を与える虞のあるサービスは、一定条件下で利用が規制されるものとなっている。
【００７４】
また、サービス配信装置１００は、こうしたテーブル１１１に登録されているサービスの利用条件を示す情報に基づき、情報端末２００にて同利用条件を可視表示可能な画像情報を生成する画像情報生成部１２０を備えている。本実施の形態の画像情報生成部１２０は、情報端末２００にて表示可能な複数種のサービスの内容を同時表示可能な表示形式の画像情報を生成する。また、画像情報生成部１２０は、同時表示の対象とする複数種のサービスが利用条件の互いに異なるサービスであるときには、その内容ごとに各別の表示形式の画像情報を生成する。こうした画像情報生成部１２０は、情報端末２００がサービスの利用条件を示す情報を閲覧するために送信してきた閲覧要求を、ネットワークを介して装置受信部１３０において取得すると、閲覧要求のあった情報端末２００に装置送信部１４０を介して、上記生成した画像情報を配信する。なお、こうしたサービス配信装置１００からの画像情報の配信は、情報端末２００から閲覧要求がある都度、閲覧要求のあった情報端末２００に対して配信される。
【００７５】
また、サービス配信装置１００は、こうした画像情報の配信結果に対する応答として、情報端末２００から配信要求のあったサービスを上記データベース１５０から抽出するサービス抽出部１６０を備えている。サービス抽出部１６０は、情報端末２００から送信された１乃至複数のサービスの配信要求を装置受信部１３０を介して取得すると、この要求された１乃至複数のサービスを上記サービス抽出部１６０から抽出する。そして、サービス抽出部１６０は、この抽出したサービスを、サービス配信要求のあった情報端末２００に装置送信部１４０を介して配信する。
【００７６】
なお、本実施の形態では、装置送信部１４０、データベース１５０、およびサービス抽出部１６０によって、上記サービス配信部が構成される。
一方、情報端末２００は、同情報端末２００のユーザにより、サービス配信装置１００に対するサービスの閲覧画面の要求操作、サービスの要求操作、及び同サービスの起動操作等の操作が行われる端末操作部２１０を備えている。端末操作部２１０は、ユーザにより操作された内容が、サービスの閲覧画面の要求操作、サービスの要求操作、及び同サービスの起動操作のいずれの内容であるかを識別する。そして、端末操作部２１０は、こうした識別結果に基づき、ユーザにて操作された内容がサービスの閲覧画面の要求操作及びサービスの要求操作であると識別したとき、この操作に関する情報を端末送信部２２０に出力し、この端末送信部２２０から上記サービス配信装置１００に同情報を送信させる。また、端末操作部２１０は、上記識別結果に基づき、ユーザにて操作された内容がサービスの起動操作であると識別したとき、この起動操作に関する情報を、サービスの起動及び実行や利用規制を行うサービス実行部２６０に出力する。
【００７７】
端末送信部２２０は、端末操作部２１０からサービスの閲覧画面の要求操作やサービスの要求操作に関する情報が入力されると、サービス配信装置１００に対するサービスの閲覧画面のダウンロード要求（閲覧要求）や、サービスの配信要求を行う。
【００７８】
また、情報端末２００は、こうした端末送信部２２０による閲覧要求やサービスの配信要求に対する応答として、サービス配信装置１００からそれぞれ配信される画像情報やサービスを受信する端末受信部２３０を備えている。端末受信部２３０は、端末送信部２２０による閲覧要求に対する応答としてサービス配信装置１００から配信された画像情報を受信すると、この受信した画像情報を、同画像情報を可視表示する表示部２５０に出力する。また、端末受信部２３０は、端末送信部２２０による配信要求に対する応答としてサービス配信装置１００から配信されたサービスを受信すると、この受信した情報をサービス記憶領域２４０に出力する。つまりサービス記憶領域２４０は、端末受信部２３０を介して上記サービス配信装置１００から取得したサービスを適宜記憶する。
【００７９】
表示部２５０は、液晶ディスプレイ等によって構成されており、端末受信部２３０から画像情報が入力されると、この画像情報を可視表示する。本実施の形態では、こうした画像情報、すなわちサービスの利用条件を示す情報が、サービス配信装置１００が配信可能なサービスの閲覧画面として表示部２５０に表示される。
【００８０】
なお、本実施の形態では、表示部２５０によって上記サービス表示装置が構成される。
また、上記サービス実行部２６０は、情報端末２００が搭載された車両の走行状態を検出する走行状態検出部２７０との連携により、サービス記憶領域２４０に記憶されたサービスを実行する。すなわち、走行状態検出部２７０は、例えば、自車両の緯度経度情報を取得するＧＰＳや自車両の走行速度を検出する車速センサ等の各種センサ等によって構成されている。そして、走行状態検出部２７０は、こうしたセンサ等の検出結果に基づいて、自車両の走行状態を検出し、この検出した走行状態に関する情報を、上記サービス実行部２６０に出力する。
【００８１】
サービス実行部２６０は、走行状態検出部２７０にて検出された走行状態に関する情報と各種サービスに規定されている利用条件とに基づいて、サービス記憶領域２４０に記憶されたサービスを実行する。すなわちサービス実行部２６０は、上記走行状態検出部２７０による検出結果に基づき情報端末２００が搭載された車両が走行状態であると判定したときには、利用条件が車両の停車中と規定されたサービスを起動させる起動操作がユーザによって上記端末操作部２１０に対して行われたとしても、該サービスの利用を禁止する。また同様にサービス実行部２６０は、自車両の走行速度が所定の速度以上であると判定したときには、利用条件が車両の走行速度が所定の速度未満と規定されたサービスを起動させる起動操作が上記端末操作部２１０に対して行われたとしても、該サービスの利用を禁止する。一方、サービス実行部２６０は、利用条件が既定されていないサービスや、自車両の走行状態が利用条件を満たしているサービスの起動は許可する。すなわち、こうした制限のないサービスを起動させる起動操作がユーザにより上記端末操作部２１０に対して行われた場合には、サービス実行部２６０は、この起動操作に応じてサービスを起動、実行するため、この実行されたサービスがユーザに提供されることとなる。
【００８２】
以下、本実施の形態のサービス配信装置及びサービス表示装置の動作例（作用）について、図３を参照して説明する。
図３に示すように、まず、情報端末２００のユーザにより、同情報端末２００の端末操作部２１０を介して、サービスの提供サイト、すなわちサービス配信装置１００に対するアクセスが行われると、情報端末２００は、サービス配信装置１００が配信可能な一つ又は複数のサービスの閲覧を要求する閲覧要求を発信する。
【００８３】
サービス配信装置１００は、情報端末２００から発信されたサービスの閲覧要求を受信すると、上記画像情報生成部１２０によって生成したサービスの内容とその利用条件を示す画像情報を、閲覧要求のあった情報端末２００に配信する。
【００８４】
情報端末２００は、サービス配信装置１００から配信された画像情報を受信すると、この受信した画像情報を、上記表示部２５０に表示する。これにより、表示部２５０は、情報端末２００がサービスをサービス配信装置１００から取得するのに先立ち、車両の走行状態に対するサービス毎の利用の可否を示す情報を画像表示することとなる。そして情報端末２００のユーザは、こうして表示部２５０に画像表示された情報に基づき、サービス配信装置１００からのダウンロードを所望するサービスを選択する。すなわち、情報端末２００のユーザ、換言すれば、情報端末２００が搭載された車両のドライバや同乗者等は、サービス配信装置１００から取得可能なサービスが、現在の車両の走行状態であっても利用可能か否かを事前に認知した上で、例えば当該サービスのプログラムをダウンロードする前に認知した上で、サービス配信装置１００にサービスの配信要求を行うことが可能となる。
【００８５】
そして、こうして選択されたサービスの配信要求が、情報端末２００からサービス配信装置１００に対して行われると、サービス配信装置１００のサービス抽出部１６０は、配信要求のあったサービスを、上記データベース１５０から抽出する。そして、こうしたサービス抽出部１６０によって抽出されたサービスが、サービス配信装置１００から、サービス配信要求のあった情報端末２００に対して配信される。
【００８６】
こうして、情報端末２００は、そのユーザによるサービスの起動操作が行われると、この起動操作の対象とされたサービスが、同情報端末２００が搭載された車両の現在の走行状態で利用可能か否かを判定する。そして情報端末２００は、こうした判定の結果に基づいて、サービスの実行もしくは利用規制を、サービス毎の利用条件に応じて実行する。
【００８７】
（実施例）
以下、実施例により本発明にかかるサービス配信装置及びサービス表示装置についてその具体例をさらに詳細に説明する。
【００８８】
（第１の実施例）
本実施例では、上記画像情報生成部１２０は、利用条件の互いに異なるサービスの内容を示す画像情報として、利用条件が互いに異なるサービスを利用条件のグループ毎に分けて、つまりグループ分けして示す表示形式の画像情報を生成する。そして、上記表示部２５０は、こうした画像情報生成部１２０によって生成された画像情報をサービス配信装置１００から受信すると、この画像情報を同表示部２５０に画像表示する。
【００８９】
この結果、表示部２５０は、図４に例示すように、サービス配信装置１００が配信可能な複数種のサービスＡ〜サービスＦを、車両が走行状態にあるときに利用が禁止されるすなわち走行規制の対象となるグループＧ１（走行規制あり）と、走行規制の対象にはならないグループＧ２（走行規制なし）とに、各別にグループ分けされて表示する。
【００９０】
これにより、本実施例の表示部２５０は、走行規制の対象となるサービスの名称（コードネーム）であるサービスＡ、Ｂ、Ｃ．．．と、その内容を示す情報「電子メール」、「セカイカメラ」、．．．とが、走行規制の対象となるグループＧ１のサービスとして可視表示する。同様に、走行規制の対象にはならないサービスの名称であるサービスＤ、Ｅ、Ｆ．．．と、その内容を示す情報「燃費表示」、「エネルギーフロー」、．．．とが、走行規制の対象にはならないグループＧ２のサービスとして可視表示される。よって、情報端末２００のユーザは、サービス配信装置１００にて取得可能なサービスのうちで走行規制の対象となるサービス、すなわち走行中の車両での利用可能性が無いサービスを、事前に認知することが可能となる。
【００９１】
（第２の実施例）
本実施例では、上記画像情報生成部１２０は、利用条件の互いに異なるサービスの内容を示す画像情報として、利用条件が互いに異なるサービスを互いに異なる配色で色分けして示す表示形式の画像情報を生成する。そして、上記表示部２５０は、こうした画像情報生成部１２０によって生成された画像情報をサービス配信装置１００から受信すると、この画像情報を同表示部２５０に画像表示する。
【００９２】
この結果、表示部２５０は、図５に例示すように、サービス配信装置１００が配信可能な複数種のサービスＡ〜サービスＦのうち、車両が走行状態にあるときに利用が禁止される走行規制の対象となる各サービスと、走行規制の対象にはならない各サービスとが、互いに異なる配色で色分け表示される。これにより、本実施例の表示部２５０は、走行規制の対象となるサービスの名称であるサービスＡ、Ｂ、Ｃ．．．のそれぞれ左隣の四角枠や名称自体を、走行規制の対象となるサービスとして、例えば「赤」の配色で点灯表示する。また、走行規制の対象にはならないサービスの名称であるサービスＤ、Ｅ、Ｆ．．．のそれぞれ左隣の四角枠や名称が、走行規制の対象にはならないサービスとして、例えば「青」の配色で点灯表示される。
【００９３】
そして、こうしたサービスの名称及び内容とは別の欄である表示部２５０の下欄は、「赤」の配色での点灯表示が「走行規制あり」を示す旨を表示するとともに、「青」の配色での点灯表示が「走行規制なし」を示す旨を表示する。よって、本実施例の表示部２５０は、サービス配信装置１００が配信可能なサービスを利用条件に応じて互いに異なる配色で点灯表示することを通じて、各サービスの情報端末２００での利用可能性を、サービス配信装置からのサービスの取得以前にユーザに認知させることが可能となる。
【００９４】
（第３の実施例）
本実施例では、上記画像情報生成部１２０は、上記サービスのうちで車両の速度が所定の速度以上であるときや走行環境が雨天時や市街地等であるときなど、一定の条件下で利用が一時的に規制されるサービスを表示する画像情報として、同サービスの名称や内容を点滅表示可能な表示形式となる画像情報を生成する。なお、本実施例の画像情報生成部１２０は、その他の利用条件のサービスについては、例えば、先の第２の実施例と同様、互いに異なる配色で色分けして示す表示形式となる画像情報を生成する。
【００９５】
そして、上記表示部２５０は、こうした画像情報生成部１２０によって生成された画像情報をサービス配信装置１００から受信すると、この画像情報を画像表示する。
この結果、表示部２５０は、図６に例示すように、サービス配信装置１００が配信可能な複数種のサービスＡ〜サービスＦのうち、利用が一時的に規制される瞬間燃費に関する情報を提供可能なサービスＣの左隣の四角枠やその名称を、点滅表示する。また、こうしたサービスの名称及び内容とは別の欄（図では下欄）に、点滅表示されるサービスが、特定の条件下で一時的に利用が規制されるサービスであることを示す旨が表示される。これにより、本実施例の表示部２５０は、走行規制の有無のみならず、サービスの名称の点滅表示を通じて、サービス配信装置１００から取得可能なサービスが、車両の走行状態に応じて一時的に利用が規制されるサービスであるか否かを事前にユーザに認知させることが可能となる。
【００９６】
（第４の実施例）
本実施例では、上記画像情報生成部１２０は、利用条件の互いに異なるサービスの内容を示す画像情報として、利用条件が互いに異なるサービスをそれぞれ常時点灯表示及び点滅表示が選択可能な表示形式の画像情報を生成する。そして、上記表示部２５０は、こうした画像情報生成部１２０によって生成された画像情報をサービス配信装置１００から受信すると、この画像情報を画像表示する。
【００９７】
この結果、表示部２５０は、図７に例示すように、サービス配信装置１００が配信可能な複数種のサービスＡ〜サービスＦのうち、車両が走行状態にあるときに利用が禁止される走行規制の対象となる各サービスと、走行規制の対象にはならない各サービスとのそれぞれの名称や左隣の四角枠を、互いに異なる点灯態様で表示する。これにより、本実施例では、走行規制の対象となるサービスの名称であるサービスＡ、Ｂ、Ｃ．．．や左隣の四角枠は、走行規制の対象となるサービスとして、例えば点滅表示される。また、走行規制の対象にはならないサービスの名称であるサービスＤ、Ｅ、Ｆ．．．や左隣の四角枠は、走行規制の対象にはならないサービスとして、例えば常時点灯表示される。そして、こうしたサービスの名称及び内容とは別の欄（下欄）に、点滅表示されるサービスが「走行規制あり」の対象である旨が表示されるとともに、常時点灯表示されるサービスが「走行規制なし」の対象である旨表示される。よって、本実施例の表示部２５０は、サービス配信装置１００が配信可能なサービスを利用条件に応じて互いに異なる点灯態様で表示することにより、サービスの内容の点滅の有無に基づいて各サービスの情報端末２００での利用可能性をサービスの取得以前にユーザに認知させることが可能となる。
【００９８】
（第５の実施例）
本実施例では、上記画像情報生成部１２０は、利用条件の互いに異なるサービスの内容を示す画像情報として、利用条件が互いに異なるサービスにそれぞれ互いに異なる識別子が付与された表示形式の画像情報を生成する。そして、上記表示部２５０は、こうした画像情報生成部１２０によって生成された画像情報をサービス配信装置１００から受信すると、この画像情報を画像表示する。
【００９９】
この結果、表示部２５０は、図８に例示すように、サービス配信装置１００が配信可能な複数種のサービスＡ〜サービスＦのうち、走行規制の対象となるサービスの名称であるサービスＡ、Ｂ、Ｃ．．．の名称に隣接する位置（図では左隣）に、走行規制の対象となる旨を示す識別子ＤＳ１をそれぞれ付与して表示する。また、表示部２５０は、走行規制の対象にはならないサービスの名称であるサービスＤ、Ｅ、Ｆ．．．の名称に隣接する位置に、走行規制の対象にはならない旨を示す識別子ＤＳ２をそれぞれ付与して表示する。例えば識別子ＤＳ２は車両マークのみであり、識別子ＤＳ１は車両マークに×印が付されている。そして、こうしたサービスの名称及び内容とは別の欄（下欄）に、上記識別子ＤＳ１が「走行規制あり」を示す旨が表示されるとともに、上記識別子ＤＳ２が「走行規制なし」を示す旨が表示される。よって、本実施例の表示部２５０は、サービス配信装置１００が配信可能なサービスの内容ごとに、互いに異なる識別子ＤＳ１及びＤＳ２を付して表示することにより、それら識別子ＤＳ１及びＤＳ２に基づいて各サービスの情報端末２００での利用可能性をサービスの取得以前にユーザに認知させることが可能となる。
【０１００】
以上説明したように、本実施の形態にかかるサービス配信装置及びサービス表示装置によれば、以下の効果が得られるようになる。
（１）上記サービス配信装置１００は、上記情報端末２００が搭載される車両の走行状態に対するサービスの利用条件を示す情報を、同サービス配信装置１００が配信可能なサービスに関連付けすることとした。そしてサービス配信装置１００は、この関連付けされたサービスの利用条件を示す情報を、該当するサービスの内容と共々、情報端末２００に配信する。よって、情報端末２００のユーザ（利用者）は、同情報端末２００で利用するサービスをサービス配信装置１００から取得する上で、サービスの利用可能性を事前に認知することが可能となる。これによりユーザは、サービスの利用可能性を認知した上で、サービス配信装置１００からサービスを取得することが可能となり、ひいては、サービスの利便性を高めることが可能となる。
【０１０１】
（２）上記サービス配信装置１００は、上記車両の走行状態に対するサービスの利用条件を示す情報として、車両の走行状態に応じた利用の可否を示す情報を配信した。このため、情報端末２００は、取得可能なサービスとその利用の可否とを、上記表示部２５０に可視表示することが可能となる。これによりユーザは、サービス配信装置１００から情報端末２００へのサービスの取得に先立ち、その所望するサービスの利用の可否を事前に認知することが可能となる。
【０１０２】
（３）上記サービス配信装置１００に、複数種のサービスが予め登録されたデータベース１５０を設けることとした。そしてサービス配信装置１００は、このデータベース１５０に登録されたサービス毎に、車両の走行状態に対する利用条件を示す情報を関連付けし、こうしたデータベース１５０から抽出したサービスの内容及びその利用条件を示す情報を、情報端末２００に配信することとした。これによりサービス配信装置１００は、利用条件が相違する複数種のサービスを上記サービス配信装置１００から情報端末２００に配信する場合であれ、それらサービス毎の利用の可否を、情報端末２００のユーザに認知させることが可能となる。
【０１０３】
（４）サービス配信装置１００は上記サービスとして、車両用コンテンツもしくは車両用アプリケーションを配信し、こうしたサービスを車両用の情報端末２００で実行させることとした。これにより情報端末２００のユーザは、走行規制の対象となりやすい車両用コンテンツや車両用アプリケーションの利用可能性を事前に認知させることが可能となり、それらの利便性が向上されるようになる。
【０１０４】
（５）サービス配信装置１００の上記画像情報生成部１２０は、複数種のサービスの内容を同時表示可能な表示形式の画像情報として生成するとともに、利用条件の互いに異なるサービスの内容（名称）を、各別の表示形式の画像情報として生成することとした。このため、こうした画像情報を表示する情報端末２００の表示部２５０は、表示対象とするサービスが複数種存在したとしても、それらサービスを同時表示かつ利用条件毎に判別可能な態様で可視表示することが可能となる。また、表示部２５０は、サービス配信装置１００から配信された画像情報を表示するだけで、サービスの内容とその利用条件を示す情報とを情報端末２００のユーザに対して表示することが可能となる。これによりサービス配信装置１００は、既存の表示装置を用いてサービスの内容とその利用条件を示す情報とをユーザに認知させることが可能となり、上記サービス配信装置１００としての汎用性が拡大されるようになる。
【０１０５】
（６）図４の上記第１の実施例において、サービス配信装置１００の画像情報生成部１２０は、利用条件の互いに異なるサービスの内容を示す画像情報として、利用条件が互いに異なるサービスのグループをグループ分けして示す表示形式の画像情報を生成することとした。このため、こうした表示形式の画像情報を表示する表示部２５０は、複数種のサービスを同時表示する上で、走行規制の対象となるサービスと、走行規制の対象にはならないサービスとをグループ分けして表示することが可能となる。これにより表示部２５０は、利用条件の互いに異なる複数種のサービスを、利用条件を判別可能な態様で一覧表示することが可能となる。
【０１０６】
（７）図５の上記第２の実施例において、サービス配信装置１００の画像情報生成部１２０は、利用条件の互いに異なるサービスの内容を示す画像情報として、利用条件が互いに異なるサービスを互いに異なる配色で色分けして示す表示形式の画像情報を生成することとした。このため、こうした表示形式の画像情報を表示する表示部２５０は、複数種のサービスを同時表示する上で、走行規制の対象となるサービスと、走行規制の対象にはならないサービスとを色分けして表示することが可能となる。これにより表示部２５０は、色覚を通じて、利用条件の互いに異なるサービスを情報端末２００のユーザに認知させることが可能となる。
【０１０７】
（８）図６の上記第３の実施例において、サービス配信装置１００の画像情報生成部１２０は、一定の条件下で利用が一時的に規制されるサービスの内容を示す画像情報として、同サービスの名称や内容を点滅表示可能な表示形式の画像情報を生成することとした。このため、こうした画像情報を表示する表示部２５０は、利用が一時的に規制されるサービスを、走行規制の対象となるサービスや一律に走行規制の対象となるサービスと識別可能に表示することが可能となる。これにより表示部２５０は、特殊な利用条件が適用されるサービスの利用条件も、情報端末２００のユーザに事前に認知させることが可能となる。
【０１０８】
（９）図７の上記第４の実施例において、サービス配信装置１００の画像情報生成部１２０は、利用条件の互いに異なるサービスの内容を示す画像情報として、利用条件が互いに異なるサービスをそれぞれ常時点灯表示及び点滅表示が選択可能な表示形式の画像情報を生成することとした。このため、こうした表示形式の画像情報を表示する表示部２５０は、複数種のサービスを同時表示する上で、走行規制の対象となるサービスと、走行規制の対象にはならないサービスとを互いに異なる点灯態様で表示することが可能となる。これにより情報端末２００は、表示部２５０が表示するサービスの点滅の有無に基づいて、利用条件の互いに異なるサービスを情報端末２００のユーザに認知させることが可能となる。
【０１０９】
（１０）図８の上記第５の実施例において、サービス配信装置１００の画像情報生成部１２０は、利用条件の互いに異なるサービスの内容を示す画像情報として、利用条件が互いに異なるサービスにそれぞれ互いに異なる識別子ＤＳ１，ＤＳ２が付与された表示形式の画像情報を生成することとした。こうした表示形式の画像情報を表示する表示部２５０は、複数種のサービスを同時表示する上で、走行規制の対象となるサービスと走行規制の対象にはならないサービスとに各別の識別子ＤＳ１及びＤＳ２を付して表示することが可能となる。これにより情報端末２００は、表示部２５０に表示されるサービスに付与された識別子ＤＳ１及びＤＳ２に基づいて、利用条件の互いに異なるサービスを情報端末２００のユーザに認知させることが可能となる。また、本実施例では、走行規制の有無を示す識別子として、車両の走行状態を示す識別子ＤＳ１及びＤＳ２を付したことから、情報端末２００のユーザはそれら識別子ＤＳ１及びＤＳ２を確認（視認）するだけで、各サービスに対する走行規制の有無を容易に認知することが可能となる。
【０１１０】
（第２の実施の形態）
以下、本発明にかかるサービス配信装置及びサービス表示装置を具体化した第２の実施の形態を、図９を参照して説明する。なお、この第２の実施の形態は、表示部２５０が表示する画像情報を上記情報端末２００Ａが生成するように構成され、他の基本的な構成は先の第１の実施の形態と共通になっている。
【０１１１】
図９は、先の図１に類似する図として、この第２の実施の形態にかかるサービス配信装置及びサービス表示装置の概略構成を示したものである。なお、この図９において、先の図１に示した各要素と同一の要素についてはそれぞれ同一の符号を付して示しており、それら要素についての重複する説明は割愛する。
【０１１２】
すなわち、図９に示すように、本実施の形態ではサービス配信装置１００Ａは、上記画像情報生成部１２０を備えない構成とされるとともに、情報端末２００Ａは、端末画像情報生成部２８０を備える構成となっている。そしてサービス配信装置１００Ａは、同サービス配信装置１００Ａが配信可能なサービスの内容とその利用条件を示す情報についての問い合わせを受信すると、この問い合わせ内容を、装置受信部１３０を介して情報関連付け部１１０に出力する。
【０１１３】
情報関連付け部１１０は、情報端末２００Ａからの問い合わせに応じて、テーブル１１１に登録されたサービスの内容とその利用条件を示す情報を抽出する。そして、情報関連付け部１１０は、この抽出した情報を、装置送信部１４０を介して、問い合わせを行なった情報端末２００Ａに配信する。
【０１１４】
一方、情報端末２００Ａは、サービス配信装置１００Ａから配信されたサービスの利用条件等を含む情報を端末受信部２３０によって受信すると、この受信した情報を、上記画像情報生成部１２０に準じた機能を有する端末画像情報生成部２８０に出力する。端末画像情報生成部２８０は、この入力された情報に基づいて、表示部２５０が可視表示可能な画像情報を生成する。なお、本実施の形態の端末画像情報生成部２８０も、例えば、画像情報生成部１２０が生成した上記第１〜第５の実施例のうちの任意の１つと同じ表示形式の画像情報を生成する。
【０１１５】
なお、本実施の形態では、表示部２５０及び端末画像情報生成部２８０によって、上記表示装置が構成される。
そして端末画像情報生成部２８０は、この生成した画像情報を表示部２５０に出力する。こうして表示部２５０は、端末画像情報生成部２８０から入力された画像情報を表示する。これによって例えば表示部２５０は、先の図４〜図８に示した表示形式と同じ画像を表示することとなる。これにより、情報端末２００Ａのユーザは、同情報端末２００Ａに搭載された端末画像情報生成部２８０によって生成された画像情報に基づいて、サービス配信装置１００Ａから取得可能なサービスの利用条件を、サービス配信装置１００Ａからのサービス取得の事前に認知することが可能となる。
【０１１６】
以上説明したように、本実施の形態にかかるサービス配信装置及びサービス表示装置によれば、前記（１）〜（４）、（６）〜（１０）に準じた効果が得られるとともに、前記（５）に代えて以下の効果が得られるようになる。
【０１１７】
（５Ａ）情報端末２００Ａに設けた端末画像情報生成部２８０が、サービスの内容とその利用条件を示す情報を表示するための画像情報を生成することとした。このため、サービス配信装置１００Ａは、問い合わせを行なった情報端末２００Ａに対して、サービスの利用条件を示す情報を配信するだけでよい。また、情報端末２００Ａは、サービスの利用条件を示す情報さえ取得できれば、サービスの利用条件を識別可能な画像情報を情報端末２００Ａ単体で生成し、この生成した画像情報をユーザに表示することが可能となる。これにより、上記サービス配信装置及び情報端末としての利用形態の拡充が図られるようになる。
【０１１８】
（第３の実施の形態）
以下、本発明にかかるサービス配信装置及びサービス表示装置を具体化した第３の実施の形態を、図１０を参照して説明する。なお、この第３の実施の形態も、相違点以外の基本的な構成は先の第１の実施の形態と共通になっている。
【０１１９】
図１０は、先の図１に類似する図として、この第３の実施の形態にかかるサービス配信装置及びサービス表示装置の概略構成を示したものである。なお、この図１０において、先の図１に示した各要素と同一の要素についてはそれぞれ同一の符号を付して示しており、それら要素についての重複する説明は割愛する。
【０１２０】
図１０に示すように、本実施の形態のサービス配信装置１００Ｂは、上記情報関連付け部１１０及び画像情報生成部１２０を備えない構成となっており、配信要求のあった情報端末２００Ｂに対するサービスの配信のみを行う。
【０１２１】
一方、本実施の形態の情報端末２００Ｂに搭載される表示装置は、上記表示部２５０と、上記画像情報生成部１２０に準じた機能を有する端末画像情報生成部２８０Ｂとを備えている。さらに表示装置は、サービスの利用条件を判別する判別部２９０と、先の図２に例示した各種サービスの内容とその利用条件とが登録された端末テーブル２９１とを備えている。このうち、判別部２９０は、端末テーブル２９１に登録された利用条件を参照し、車両の走行状態に対する各サービスの利用条件を判別する。また、本実施の形態では、こうした判別部２９０による各サービスの利用条件の判別結果に基づいて、上記端末画像情報生成部２８０Ｂが、各サービスの内容とその利用条件とを表示するための画像情報を生成する。
【０１２２】
そして、本実施の形態の情報端末２００Ｂでは、同情報端末２００Ｂで利用可能なサービスの閲覧画面を要求する要求操作がユーザによって端末操作部２１０に対して行われると、この要求操作に関する情報が端末画像情報生成部２８０Ｂに入力される。
【０１２３】
端末画像情報生成部２８０Ｂは、閲覧画面の要求操作に関する情報が入力されると、各サービスの利用条件を示す情報を判別部２９０の判別結果として取得する。そして、端末画像情報生成部２８０Ｂは、この取得した情報に基づいて、同情報によって示される内容を表示部２５０に表示するための画像情報を生成し、この生成した画像情報を上記表示部２５０に出力する。こうして、表示部２５０が、端末画像情報生成部２８０から入力された画像情報を表示することによって、例えば、先の図４〜図８に示した表示形式の画像が表示部２５０に表示されることとなる。これにより、情報端末２００Ｂのユーザは、同情報端末２００Ｂに搭載された端末画像情報生成部２８０によって生成された画像情報に基づいて、サービス配信装置１００Ｂから取得可能なサービスの利用条件をサービス配信装置１００Ｂからのサービス取得の事前に認知することが可能となる。
【０１２４】
こうして、表示部２５０に表示された画像に基づき、ユーザによるサービスの選択や要求操作が端末操作部２１０を介して行われると、この操作に関する情報が、サービス配信装置１００Ｂに対するサービスの配信要求として、端末送信部２２０を介してサービス配信装置１００Ｂに送信される。そして、サービス配信装置１００Ｂは、該当するサービスをデータベース１５０から抽出して、この抽出したサービスを、装置送信部１４０を介して、配信要求を行なった情報端末２００Ｂに配信する。
【０１２５】
以上説明したように、本実施の形態にかかるサービス配信装置及びサービス表示装置によれば、前記（２）〜（４）、（６）〜（１０）に準じた効果が得られるとともに、前記（１）、（５）に代えて以下の効果が得られるようになる。
【０１２６】
（１Ｂ）上記情報端末２００Ｂは、サービスの利用条件を判別可能な判別部２９０と、サービス毎の利用条件を示す情報が関連付けされて登録された端末テーブル２９１とを備える構成とした。さらに情報端末２００Ｂは、判別部２９０の判別結果に基づいて画像情報を生成する端末画像情報生成部２８０Ｂを備える構成とした。そして、情報端末２００Ｂのユーザから情報端末２００Ｂにサービスの閲覧要求があったとき、判別部２９０と端末テーブル２９１と端末画像情報生成部２８０Ｂとは互いに協働することによって、表示部２５０が可視表示可能な画像情報を生成し、この生成した画像情報を表示部２５０に表示させた。よって、情報端末２００Ｂは、同情報端末２００Ｂがサービス配信装置１００Ｂから取得可能なサービスの内容とその利用条件を示す情報とを、情報端末２００Ｂ単体で表示部２５０に表示させることが可能となる。これにより、サービスの配信元となるサービス配信装置１００Ｂが、車両状態に対するサービスの利用条件を把握していない場合であれ、すなわちサービス配信装置１００Ｂが既存のサービス配信装置であれ、同サービスの受信側となる情報端末２００Ｂは、各サービスの利用条件を把握することが可能となる。
【０１２７】
（他の実施の形態）
なお、上記各実施の形態は、以下のような形態で実施することもできる。
・上記第２の実施例では、走行規制の対象となるサービスの名称を「赤」の配色で点灯表示するとともに、走行規制の対象にはならないサービスの名称を「青」の配色で点灯表示することとした。これに限らず、各サービスの名称の配色は、任意の配色を選定して設定することが可能である。
【０１２８】
・上記第４の実施形態では、走行規制の対象となるサービスの名称を点滅表示するとともに、走行規制の対象にはならないサービスの名称を常時点灯表示することとした。これに限らず、走行規制の対象となるサービスの名称を常時点灯表示するとともに、走行規制の対象にはならないサービスの名称を点滅表示することも可能である。
【０１２９】
・上記第５の実施例では、サービスの利用条件を示す識別子として、識別子ＤＳ１及びＤＳ２を用いることとした。これに限らず、サービスの利用条件を示す識別子は、車両の走行状態に対するサービスの利用条件を明示可能なものであればよく、例えば、走行規制の対象となるサービスの識別子としてサービス名に単に「×」を付すことも可能である。同様に、例えば、走行規制の対象にはならないサービスや、利用制限のないサービスの識別子としてサービス名に単に「○」を付すことも可能である。この場合にも、情報端末２００（以下適宜、図９、図１０に示した２００Ａ、２００Ｂも意味する）のユーザは、こうした識別子に基づいて、サービス毎の走行規制の有無を容易に判別することが可能である。また、この他、「走行規制の有無を示す識別子」は、走行規制の有無を識別可能なものであればよい。
【０１３０】
・上記第２〜第５の実施例では、利用条件の互いに異なるサービスの内容とその利用条件とを、画面の左半分が「走行規制あり」で、右半分が「走行規制なし」とグループ分けして一覧表示した上で、且つ互いに異なる配色による識別表示、もしくは常時点灯表示及び点滅表示の選択、もしくは互いに異なる識別子による識別表示を行うこととした。これに限らず、先の図４〜図８に類似する図として例えば図１１に示すように、表示部２５０に表示されるサービスの内容とその利用条件とのグループ分けを行わず、任意の配列順で各サービスとそれらの利用条件を表示することも勿論可能である。
【０１３１】
・上記画像情報生成部１２０、端末画像情報生成部２８０、及び端末画像情報生成部２８０Ｂがそれぞれ生成する画像情報の表示形式、並びに上記表示部２５０が表示するサービスの内容とその利用条件の表示態様とは任意であり、例えば、上記第１〜第５の実施例に示した表示形式を適宜組み合わせることも可能である。また、これに限らず、表示部２５０に表示する画像情報は、利用条件の互いに異なるサービスを各別の表示態様で表示することが可能な画像情報であればよい。
【０１３２】
・またこの他、表示部２５０は、例えば上記走行状態検出部２７０が検出する、情報端末２００が搭載された車両の走行状態に応じて、この走行状態を反映させた画像表示を行うことも可能である。例えば表示部２５０は、自車両が走行状態であると走行状態検出部２７０の検出結果によって判定されたときには、例えば、先の図４や図５に示した例において、利用が規制されるサービスの内容「電子メール」及び「セカイカメラ」の内容のみを点滅表示し、その他のサービスの内容を常時点灯表示する。一方、表示部２５０は、自車両が停車状態のため現在の車両の走行状態において全てのサービスが利用可能な場合には、全てのサービスの内容を常時点灯表示する。また同様に表示部２５０は、自車両が走行状態のときには、例えば、先の図４や図５に示した例において、利用可能なサービスの内容「燃費表示」及び「エネルギーフロー」の内容のみを点滅表示し、その他のサービスの内容を常時点灯表示することも可能である。これにより表示部２５０は、車両の走行状態に応じて変化する各種サービスの利用の可否を、車両の走行状態を反映させて表示することが可能となり、サービスの利用条件のきめ細かな視認性が向上されるようになる。
【０１３３】
・また、上記第１〜第５の実施例では、サービスの名称一つごとに互いに異なる表示形式で表示することとしたが、複数のサービスの内容を併せて、互いに異なる表示形式で表示することも可能である。
【０１３４】
・上記各実施の形態では、上記表示部２５０（表示装置）を情報端末２００に搭載する構成とした。これに限らず、情報端末２００が表示装置を備えない構成とし、表示装置と情報端末２００とを各別の装置として両装置の間で情報をやり取りするように構成してもよい。
【０１３５】
・上記第３の実施の形態では、情報端末２００Ｂの判別部２９０が、端末テーブル２９１に登録されたサービスの利用条件を示す情報に基づいて、サービス毎の利用条件を判別することとした。これに限らず、判別部２９０が例えば「ｉｆ文」等のプログラムを用いてサービス毎の利用条件を判別可能な場合には、情報端末２００Ｂから端末テーブル２９１を割愛する構成としてもよい。またあるいは、情報端末２００Ｂから判別部２９０を割愛する構成とした場合でも、情報端末２００Ｂが、端末テーブル２９１に登録されたサービスの内容とその利用条件を示す情報とに基づいて、上記表示部２５０に表示するための画像情報を生成するようにできればよい。
【０１３６】
・上記各実施の形態では、サービス配信装置１００（以下適宜、図９、図１０に示した１００Ａ、１００Ｂも意味する）は、複数種のサービスが登録されたデータベース１５０を有する構成とし、このデータベース１５０に登録されたサービス毎に、車両の走行状態に対する利用条件を関連付けることとした。これに限らず、サービス配信装置１００が配信するサービスは、１つのサービスであってもよく、上記データベース１５０を割愛した構成とすることも可能である。
【０１３７】
・上記第１及び第２の実施の形態では、サービス配信装置１００がテーブル１１１を備える構成とし、サービス配信装置１００はこのテーブル１１１に登録されたサービスの内容とその利用条件を示す情報とに基づいて、表示部２５０に表示する画像情報を生成することとした。これに限らず、サービス配信装置１００からテーブル１１１を割愛し、情報関連付け部１１０が各サービスの利用条件を適宜判別し、この判別したサービスの利用条件を示す情報を用いて上記画像情報を生成するようにしてもよい。
【０１３８】
・上記各実施の形態では、表示部２５０が表示する表示画像は、各サービスの内容と、それらの利用条件を示す情報、すなわち走行規制の有無（利用の可否）とであった。これに限らず、先の図２の変更図としての図１２（ａ）に示すテーブルを、上記テーブル１１１もしくは端末テーブル２９１として、サービス配信装置１００が配信可能なサービスＡ〜サービスｎの内容や名称に、それらサービスを利用するための車両の走行条件を併せて登録するようにしてもよい。そして、先の図４〜図８に類似する図として例えば図１２（ｂ）に示すように、サービス配信装置１００が配信可能なサービスＡ〜サービスｎの内容や名称と共に、各種サービスを利用するための車両の走行条件として「停車中」、「走行速度１０ｋｍ／ｈ以下」、「走行規制なし」といった情報に対応する表示形式の画像を表示部２５０に表示させてもよい。この場合の情報端末２００は、情報端末２００のユーザに、サービスの取得以前に、各種サービスを利用するための車両の走行条件を認知させることが可能となる。これによりユーザは、サービスを利用するための車両の走行条件を踏まえたサービスの取得、サービスの利用が可能となり、上記サービス配信装置及びサービス表示装置としての利便性がさらに向上する。
【０１３９】
・上記各実施の形態では、上記サービスには、車両の走行状態に対する当該サービスの利用条件が設定されており、表示部２５０が情報端末２００のユーザに提供する情報としては、そのサービスの利用条件を示す情報を採用することとしていた。これに限らず、つまりサービスの利用条件の設定の有無に拘わらず、上記画像情報生成部１２０（適宜端末画像情報生成部２８０及び２８０Ｂも意味する）は、先の図４に類似する図として図１３に示すように、サービスの利用目的に応じて想定されるサービスの利用環境を示す画像情報を、情報端末２００Ｃの表示部２５０Ｃが表示する画像情報として生成することも可能である。この場合には表示部２５０Ｃは、こうした画像情報生成部１２０によって生成された画像情報をサービス配信装置１００などから受信すると、この画像情報を同表示部２５０に画像表示する。この結果、表示部２５０Ｃは、図１３に例示すように、サービスの特性上、車両の停車時に利用が想定されるサービスＡ〜ＣをグループＧ３として表示するとともに、サービスの特性上、車両の走行時の利用に適したサービスＤ〜Ｆを別のグループＧ４として表示する。同様に表示部２５０Ｃは、サービスの特性上、車両の走行状態に拘わらず常時利用することが想定されるサービスＧ〜Ｉ（つまり走行時と停車時で共通の利用環境に対応するサービス）を、更に別のグループＧ５として表示する。したがって、情報端末２００Ｃのユーザは、各サービスの利用目的と想定される利用環境とを、表示部２５０Ｃによるサービスの利用環境に応じたグループ分け表示を通じて、サービス配信装置１００からのサービスの取得前に認知することが可能となる。なおこの場合には、上記情報関連付け部１１０は、データベース１５０に登録されている複数種のサービスに、それらサービスの利用環境を示す情報をそれぞれ関連付けるとともに、この関連付けした情報と、該当するサービスの内容に関する情報とを上記テーブル１１１に登録することとなる。同様に、上記判別部２９０は、情報端末２５０Ｃで利用可能な複数種のサービスにそれぞれ、それらサービスの利用環境を示す情報を関連付けるとともに、この関連付けした情報と、該当するサービスの内容に関する情報とを上記端末テーブル２９１に登録することとなる。
【０１４０】
・また、先の図５に類似する図として、例えば図１４に示すように、上記画像情報生成部１２０は、利用環境が互いに異なるサービスを互いに異なる配色で色分けして示す表示形式の画像情報を、情報端末２００Ｃの表示部２５０Ｃが表示する画像情報として生成することも可能である。この場合には、情報端末２００Ｃのユーザは、表示部２５０Ｃによるサービスの利用環境に応じた色分け表示を通じて、各サービスの利用目的と、想定される利用環境とを、サービス配信装置１００からのサービスの取得前に認知することが可能となる。
【０１４１】
・同様に、先の図７に類似する図として、例えば図１５に示すように、上記画像情報生成部１２０は、利用環境が互いに異なるサービスをそれぞれ常時点灯表示と点滅表示とに選択可能な表示形式の画像情報を、情報端末２００Ｃの表示部２５０Ｃが表示する画像情報として生成することも可能である。そして表示部２５０Ｃは、例えば、サービスの特性上、車両の停車時に利用が想定されるサービスＡ〜Ｃを、目立つように「０．１秒」単位の短い点滅間隔で点滅表示するとともに、サービスの特性上、車両の走行時の利用に適したサービスＤ、Ｆを常時点灯表示する。また表示部２５０Ｃは、例えばサービスの特性上、車両の走行状態に拘わらず常時利用することが想定されるサービスＥを異なる点滅間隔の「０．５秒」単位で点滅表示する。この場合には、情報端末２００Ｃのユーザは、表示部２５０Ｃによるサービスの利用環境に応じたサービスの各別の点灯態様に基づいて、各サービスの利用目的と想定される利用環境とを、サービス配信装置１００からのサービスの取得前に認知することが可能となる。
【０１４２】
・また同様に、先の図８に類似する図として、例えば図１６に示すように、上記画像情報生成部１２０は、利用環境が互いに異なるサービスにそれぞれ互いに異なる識別子ＤＳ３〜ＤＳ５が付与された表示形式の画像情報を、情報端末２００Ｃの表示部２５０Ｃが表示する画像情報として生成することも可能である。例えば識別子ＤＳ３は、排気ガスを排出していない車両のマークを示し、識別子ＤＳ４は、排気ガスを排出している車両のマークを示し、識別子ＤＳ５は、排気ガスを排出していない車両のマークと排気ガスを排出している車両のマークとの両方を一部重ねて示す。この場合には、情報端末２００Ｃのユーザは、表示部２５０Ｃに表示される各別の識別子ＤＳ３〜ＤＳ５に基づいて、各サービスの利用目的と想定される利用環境とを、サービス配信装置１００からのサービスの取得前に認知することが可能となる。
【０１４３】
・表示部２５０Ｃが表示するサービスの利用環境を示す情報は、車両の停車時に利用が想定されるサービス（識別子ＤＳ３）、車両の走行時の利用に適したサービス（識別子ＤＳ４）、及び常時利用することが想定されるサービス（識別子ＤＳ５）のうち、１つもしくは２つの情報であってもよい。また、表示部２５０Ｃが表示する画像情報の表示形式は、こうした図１３〜図１６に示した表示形式に限らず、それら図１３〜図１６に示した表示形式を適宜組み合わせることも可能である。
【０１４４】
・表示部２５０Ｃが表示するサービスの利用環境を示す情報としては、車両の停車時に利用が想定されるサービス、車両の走行時の利用に適したサービス、及び常時利用することが想定されるサービスとして区別されることに限らず、例えばもっと細かく、高速道路の走行時や、郊外の走行時であるか、また晴天時や悪天時等の環境であってもよい。要は、表示部２５０Ｃに表示するサービスの利用環境を示す情報は、車両の走行状態や、同走行状態によって変化する車両外部の環境が反映される情報であればよい。
【０１４５】
・上記第１及び第２の実施の形態ではサービス配信装置１００は、各種サービスにその利用条件や利用環境を関連付ける情報関連付け部１１０を備える構成とした。これに限らず、例えば、サービス配信装置１００を管理する管理者（人）等が、各種サービスにその利用条件や利用環境を示す情報を関連付けする場合や、各種サービスにその利用条件や利用環境を示す情報が予め関連付けられている場合には、上記情報関連付け部１１０をサービス配信装置１００から割愛する構成とすることも可能である。
【０１４６】
・上記各実施の形態では、サービス配信装置１００は管理センターであり、この管理センターが上記情報端末へのサービスを配信することで提供することとした。しかしサービス配信装置は管理センターであることに限らず、例えば、ＤＶＤ−ＲやＣＤ−Ｒ、フラッシュメモリ等の記憶媒体に、サービスを実行するためのプログラム等を記録し、この記憶媒体から情報端末が各種サービスを取得するようにしてもよい。この場合であれ、記憶媒体に記憶されたサービスの利用可能性を、情報端末のユーザは事前に認知して、サービスを記憶媒体から選択的に取得することが可能となる。
【０１４７】
・上記各実施の形態では、上記情報端末は、車両に搭載されたナビゲーション装置などの車両用情報端末が採用されていた。これに限らず、サービスの利用に供される情報端末は、車両内で用いられる携帯電話機やスマートフォン等の情報端末でもよい。この場合には、例えば情報端末は、同車両の緯度経度情報や車速等の情報を車両等から取得し、この取得した情報に基づいて車両の走行状態を判別し、上記サービスの利用規制を行う。また、スマートフォン等の情報端末自身がＧＰＳや振動検知センサ等を備える場合には、情報端末は、走行状態の情報を車両から取得しなくても、こうした情報端末自身が有するセンサ等の検出結果に基づいて車両の走行状態を判別することも可能である。また、こうした情報端末で利用されるサービスも、車両用コンテンツや車両用アプリケーションに限らず、車両の走行状態によって利用条件が相違するサービスであればよい。
【符号の説明】
【０１４８】
１００、１００Ａ、１００Ｂ…サービス配信装置、１１０…情報関連付け部、１１１…テーブル、１２０…画像情報生成部、１３０…装置受信部、１４０…装置送信部、１５０…データベース、１６０…サービス抽出部、２００、２００Ａ、２００Ｂ、２００Ｃ…情報端末、２１０…操作部、２２０…端末送信部、２３０…端末受信部、２４０…サービス記憶領域、２５０、２５０Ｃ…表示部、２６０…サービス実行部、２７０…走行状態検出部、２８０、２８０Ｂ…端末画像情報生成部、２９０…判別部、２９１…端末テーブル、ＤＳ１〜ＤＳ５…識別子。
【図１】
2012095944.tif 000003
【図２】
2012095944.tif 000004
【図３】
2012095944.tif 000005
【図４】
2012095944.tif 000006
【図５】
2012095944.tif 000007
【図６】
2012095944.tif 000008
【図７】
2012095944.tif 000009
【図８】
2012095944.tif 000010
【図９】
2012095944.tif 000011
【図１０】
2012095944.tif 000012
【図１１】
2012095944.tif 000013
【図１２】
2012095944.tif 000014
【図１３】
2012095944.tif 000015
【図１４】
2012095944.tif 000016
【図１５】
2012095944.tif 000017
【図１６】
2012095944.tif 000018
【図１７】
2012095944.tif 000019
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
車両に搭載もしくは車室内で用いられる情報端末で利用されるサービスを、それら情報端末に配信するサービス配信装置において、
前記サービスの配信に先立ち、前記車両の走行状態に対するサービスの利用条件もしくは利用環境を示す情報を、該当するサービスの内容と共々、前記情報端末にて可視表示可能にすべく前記情報端末に対して配信するサービス配信部を備える
ことを特徴とするサービス配信装置。
【請求項２】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項１に記載のサービス配信装置。
【請求項３】
請求項１または２に記載のサービス配信装置はさらに、前記車両の走行状態に対するサービスの利用条件もしくは利用環境を示す情報を、前記サービスに関連付けする情報関連付け部を備える
ことを特徴とするサービス配信装置。
【請求項４】
請求項３に記載のサービス配信装置はさらに、複数種のサービスが予め登録されたデータベースを備え、
前記情報関連付け部は、前記データベースに登録されたサービス毎に前記車両の走行状態に対する利用条件もしくは利用環境を示す情報を関連付けするように構成され、
前記サービス配信部は、前記情報端末からのサービスの配信要求に応じて前記データベースから該当するサービスと該サービスに関連付けされた前記利用条件もしくは前記利用環境を示す情報とを抽出し、
この抽出したサービスの内容及びその利用条件もしくはその利用環境を示す情報を、前記情報端末にて可視表示可能に、情報端末に配信するものである
ことを特徴とするサービス配信装置。
【請求項５】
前記サービスは、車両用コンテンツもしくは車両用アプリケーションであり、
前記情報端末は、前記車両用コンテンツもしくは車両用アプリケーションを実行可能な車両用情報端末である
請求項１〜４のいずれか一項に記載のサービス配信装置。
【請求項６】
請求項１〜５のいずれか一項に記載のサービス配信装置はさらに、前記情報端末にて可視表示可能な画像情報を生成する画像情報生成部を備え、
前記画像情報生成部は、前記サービスが複数種のサービスであるとき、複数種のサービスの内容を、同時表示可能な表示形式の画像情報として生成するとともに、前記利用条件もしくは前記利用環境の互いに異なるサービスの内容を、各別の表示形式の画像情報として生成する
ことを特徴とするサービス配信装置。
【請求項７】
前記利用条件もしくは前記利用環境の互いに異なるサービスの内容についての各別の前記表示形式は、それらサービスの内容を、互いに異なる利用条件毎もしくは互いに異なる利用環境毎にグループ分けして示す表示形式である
請求項６に記載のサービス配信装置。
【請求項８】
前記利用条件もしくは前記利用環境の互いに異なるサービスの内容についての各別の前記表示形式は、それらサービスの内容を、互いに異なる配色で色分けして示す表示形式である
請求項６または７に記載のサービス配信装置。
【請求項９】
前記画像情報生成部は、前記サービスのうちで利用が一時的に規制されるサービスを示す画像情報として、該サービスの内容を点滅表示可能な表示形式の画像情報を生成する
請求項６〜８のいずれか一項に記載のサービス配信装置。
【請求項１０】
前記利用条件もしくは前記利用環境の互いに異なるサービスの内容についての各別の表示形式は、常時点灯表示及び点滅表示が可能な表示形式である
請求項６または７に記載のサービス配信装置。
【請求項１１】
前記車両の走行状態に対するサービスの利用条件を示す情報には、サービスを利用するための車両の走行条件が含まれ、
前記画像情報生成部は、前記サービスを利用するための車両の走行条件を可視表示可能な画像情報をさらに生成する
請求項６〜１０のいずれか一項に記載のサービス配信装置。
【請求項１２】
車両に搭載もしくは車室内で用いられる情報端末で利用されるサービスの内容を表示可能なサービス表示装置であって、
請求項１〜５のいずれか一項に記載のサービス配信装置から配信されたサービスの内容及びサービスの利用条件もしくは利用環境を示す情報に基づいて、該当するサービスの利用条件もしくは利用環境を示す情報を該当するサービスの内容と併せて表示する表示部を備える
ことを特徴とするサービス表示装置。
【請求項１３】
前記表示部は、複数種のサービスの内容を同時に表示するように構成され、それらサービスの内容の同時の表示に際し、利用条件もしくは利用環境の互いに異なるサービスの内容を各別の表示態様にて表示する
請求項１２に記載のサービス表示装置。
【請求項１４】
前記利用条件もしくは前記利用環境の互いに異なるサービスの内容についての前記表示部による各別の表示態様での表示は、前記利用条件もしくは前記利用環境が互いに異なるグループのグループ分け表示である
請求項１３に記載のサービス表示装置。
【請求項１５】
前記利用条件もしくは前記利用環境の互いに異なるサービスの内容についての前記表示部による各別の表示態様での表示は、それらサービスの内容を、互いに異なる配色で色分けする表示である
請求項１３または１４に記載のサービス表示装置。
【請求項１６】
前記サービスには、前記車両が特定の状態にあるときに利用が一時的に規制されるサービスが含まれ、
前記表示部は、前記利用が一時的に規制されるサービスの内容を点滅表示する
請求項１３〜１５のいずれか一項に記載のサービス表示装置。
【請求項１７】
前記利用条件もしくは前記利用環境の互いに異なるサービスの内容についての前記表示部による各別の表示態様での前記表示は、常時点灯表示と点滅表示とが選択して用いられる判別表示である
請求項１３または１４に記載のサービス表示装置。
【請求項１８】
前記車両の走行状態に対するサービスの利用条件を示す前記情報には、サービスを利用するための車両の走行条件が含まれ、
前記表示部は、前記サービスを利用するための車両の走行条件を併せて表示する
請求項１２〜１７のいずれか一項に記載のサービス表示装置
【請求項１９】
前記表示部は、車両に搭載された前記情報端末に設けられてなる
請求項１２〜１８のいずれか一項に記載のサービス表示装置。
【請求項２０】
車両に搭載もしくは車室内で用いられる情報端末で利用されるサービスの内容を表示可能なサービス表示装置であって、
前記車両の走行状態に対するサービスの利用条件もしくは利用環境を判別する判別部と、
前記判別部にて判別された利用条件もしくは利用環境を示す情報を、当該情報端末によるサービスの取得に先立ち該当するサービスの内容と併せて表示する表示部と、を備える
ことを特徴とするサービス表示装置。
【請求項２１】
請求項２０に記載のサービス表示装置はさらに、
前記車両の走行条件に対するサービスの利用条件もしくは利用環境が登録されたテーブルを備え、
前記判別部は、前記テーブルを参照して前記利用条件もしくは前記利用環境を判別する
ことを特徴とするサービス表示装置。
【請求項２２】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項２０または２１に記載のサービス表示装置。
【請求項２３】
前記表示部は、複数種のサービスの内容を同時に表示するように構成され、それらサービスの内容の同時の表示に際し、前記判別部にて判別された利用条件もしくは利用環境の互いに異なるサービスの内容を、各別の表示態様にて表示する
請求項２２に記載のサービス表示装置。
【請求項２４】
前記利用条件もしくは前記利用環境の互いに異なるサービスの内容についての前記表示部による各別の表示態様での前記表示は、前記利用条件もしくは前記利用環境が互いに異なるグループ毎に前記サービスの内容を分けて示すグループ分け表示である
請求項２３に記載のサービス表示装置。
【請求項２５】
前記利用条件もしくは前記利用環境の互いに異なるサービスの内容についての前記表示部による各別の表示態様での前記表示は、それらサービスの内容を、互いに異なる配色で色分けする表示である
請求項２３または２４に記載のサービス表示装置。
【請求項２６】
前記判別部は、前記車両の走行状態に対するサービスの利用条件を示す情報の中から車両が特定の状態にあるときに利用が一時的に規制されるサービスを判別する機能をさらに有し、
前記表示部は、前記利用が一時的に規制されるサービスの内容を点滅表示する
請求項２３〜２５のいずれか一項に記載のサービス表示装置。
【請求項２７】
前記利用条件もしくは前記利用環境の互いに異なるサービスの内容についての前記表示部による各別の表示態様での前記表示は、常時点灯表示と点滅表示とが選択して用いられる判別表示である
請求項２３または２４に記載のサービス表示装置。
【請求項２８】
前記判別部は、前記車両の走行状態に対するサービスの利用条件を示す情報として、サービスを利用するための車両の走行条件を併せて判別するように構成され、
前記表示部は、前記サービスを利用するために前記判別部にて判別される車両の走行条件を併せて表示する
請求項２０〜２７のいずれか一項に記載のサービス表示装置。
【請求項２９】
前記表示部は、車両に搭載された前記情報端末に設けられてなる
請求項２０〜２８のいずれか一項に記載のサービス表示装置。
【手続補正２】
【補正対象書類名】明細書
【補正対象項目名】０００３
【補正方法】変更
【補正の内容】
【０００３】
に取得つまりダウンロードしたとしても、このアプリケーションプログラムが走行中の規制の対象となるときには、ドライバや同乗者はこのアプリケーションプログラムを利用することができない。すなわちこのような場合、ユーザは利用することのできないアプリケーションプログラムをダウンロードしてしまったこととなり、アプリケーションやコンテンツ等のサービスを車両で利用する上で、無駄な操作をしたことにより便宜性が低下することとなっていた。
［０００９］
本発明は、このような実情に鑑みてなされたものであり、その目的は、車両に搭載もしくは車室内で用いられる情報端末で利用されるサービスの取得にあたり、その利用可能性を事前に認知可能として、サービスの利便性を高めることのできるサービス配信装置及びサービス表示装置を提供することにある。
課題を解決するための手段
［００１０］
上記目的を達成するため、本発明に従うサービス配信装置は、車両に搭載もしくは車室内で用いられる情報端末で利用されるサービスを、それら情報端末に配信するサービス配信装置であって、前記サービスの配信に先立ち、前記車両の走行状態に対するサービスの利用条件もしくは利用環境を示す情報を、該当するサービスの内容と共々、前記情報端末にて可視表示可能にすべく前記情報端末に対して配信するサービス配信部を備える。
［００１１］
上記構成によれば、サービス配信部から情報端末に対して配信されるサービスには、車両の走行状態に対するサービスの利用条件や利用環境を示す情報が関連付けられる。そして、こうしたサービスの利用条件や利用環境の内容を示す情報は、該当するサービスの内容とともに上記情報端末に可視表示可能なように、サービス配信部から該当する情報端末に対して配信される。そのため、情報端末では、同情報端末での利用条件や利用環境を示す情報が、該当するサービスの内容とともに可視表示される。このため、情報端末の利用者（ユーザ）は、同情報端末で利用するサービスの取得にあたり、その利用条件や利用環境を示す情報に基づいて、同サービスの利用可能性を事前
【手続補正３】
【補正対象書類名】明細書
【補正対象項目名】００１３
【補正方法】変更
【補正の内容】
【００１３】
は、前記サービスを利用するための車両の走行条件を併せて表示する。
［００４６］
上記構成によれば、上記表示部は、各サービスを利用するための車両の走行条件を、該当するサービスの内容と共に表示する。このため表示部は、例えば、車両が停車状態のときにのみ利用が許可されるサービスに対しては、同サービスの内容やその名称と共に、同サービスを利用するための走行条件として「利用条件：停車状態」等の旨を表示する。また表示部は、例えば、車両の走行速度が「１０ｋｍ／ｈ」以下であるときにのみ利用が許可されるサービスに対しては、同サービスの内容やその名称と共に、同サービスを利用するための走行条件として「利用条件：走行速度１０ｋｍ／ｈ」等の旨を表示する。これにより、サービスの利用者は、サービス配信装置から取得しようとするサービスを利用するための走行条件を、事前に認知することが可能となる。
［００４７］
本発明の一態様では、前記表示部は、車両に搭載された情報端末に設けられてなる。
上記構成によれば、上記表示部は、車両に搭載された情報端末に設けられる。すなわち、サービスを利用する情報端末は、同情報端末で利用されるサービスの利用条件や利用環境を示す情報を表示する表示部と一体に構成される。これにより、例えば情報端末は、車両用の情報端末によって利用される車両用コンテンツもしくは車両用アプリケーション等のサービスの利用画面を、それらの利用条件や利用環境の表示画面と共有することが可能となる。
［００４８］
上記目的を達成するため、本発明に従うサービス表示装置は、車両に搭載もしくは車室内で用いられる情報端末で利用されるサービスの内容を表示可能に構成され、当該サービス表示装置は、前記車両の走行状態に対するサービスの利用条件もしくは利用環境を判別する判別部と、前記判別部にて判別された利用条件もしくは利用環境を示す情報を、当該情報端末によるサービスの取得に先立ち該当するサービスの内容と併せて表示する表示部とを備える。
［００４９］
上記構成によればサービス表示装置の上記判別部が、情報端末で利用されるサービスの利用条件や利用環境を判別する。そして表示部が、この判別さ
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
車両に搭載もしくは車室内で用いられる情報端末で利用されるサービスを、それら情報端末に配信するサービス配信装置において、
前記車両の走行状態に対するサービスの利用条件もしくは利用環境を示す情報を、サービスの内容と共々、前記情報端末にて可視表示可能にすべく前記情報端末に対して配信するサービス配信部と、
前記情報端末にて可視表示可能な画像情報を生成する画像情報生成部とを備え、
前記画像情報生成部は、前記サービスが複数種のサービスであるとき、複数種のサービスの内容を、同時表示可能な表示形式の画像情報として生成するとともに、前記利用条件もしくは前記利用環境の互いに異なるサービスの内容を、各別の表示形式の画像情報として生成する
ことを特徴とするサービス配信装置。
【請求項２】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項１に記載のサービス配信装置。
【請求項３】
請求項１または２に記載のサービス配信装置はさらに、前記車両の走行状態に対するサービスの利用条件もしくは利用環境を示す情報を、前記サービスに関連付けする情報関連付け部を備える
ことを特徴とするサービス配信装置。
【請求項４】
請求項３に記載のサービス配信装置はさらに、複数種のサービスが予め登録されたデータベースを備え、
前記情報関連付け部は、前記データベースに登録されたサービス毎に前記車両の走行状態に対する利用条件もしくは利用環境を示す情報を関連付けするように構成され、
前記サービス配信部は、前記情報端末からのサービスの配信要求に応じて前記データベースからサービスと該サービスに関連付けされた前記利用条件もしくは前記利用環境を示す情報とを抽出し、この抽出したサービスの内容及びその利用条件もしくはその利用環境を示す情報を、前記情報端末にて可視表示可能に、情報端末に配信するものである
ことを特徴とするサービス配信装置。
【請求項５】
前記サービスは、車両用コンテンツもしくは車両用アプリケーションであり、
前記情報端末は、前記車両用コンテンツもしくは車両用アプリケーションを実行可能な車両用情報端末である
請求項１〜４のいずれか一項に記載のサービス配信装置。
ことを特徴とするサービス配信装置。
【請求項６】
前記利用条件もしくは前記利用環境の互いに異なるサービスの内容についての各別の前記表示形式は、それらサービスの内容を、互いに異なる利用条件毎もしくは互いに異なる利用環境毎にグループ分けして示す表示形式である
請求項１〜５のいずれか一項に記載のサービス配信装置。
【請求項７】
前記利用条件もしくは前記利用環境の互いに異なるサービスの内容についての各別の前記表示形式は、それらサービスの内容を、互いに異なる配色で色分けして示す表示形式である
請求項１〜６のいずれか一項に記載のサービス配信装置。
【請求項８】
前記画像情報生成部は、前記サービスのうちで利用が一時的に規制されるサービスを示す画像情報として、該サービスの内容を点滅表示可能な表示形式の画像情報を生成する
請求項１〜７のいずれか一項に記載のサービス配信装置。
【請求項９】
前記利用条件もしくは前記利用環境の互いに異なるサービスの内容についての各別の表示形式は、常時点灯表示及び点滅表示が可能な表示形式である
請求項１〜８のいずれか一項に記載のサービス配信装置。
【請求項１０】
前記車両の走行状態に対するサービスの利用条件を示す情報には、サービスを利用するための車両の走行条件が含まれ、
前記画像情報生成部は、前記サービスを利用するための車両の走行条件を可視表示可能な画像情報をさらに生成する
請求項１〜９のいずれか一項に記載のサービス配信装置。
【請求項１１】
車両に搭載もしくは車室内で用いられる情報端末で利用されるサービスの内容を表示可能なサービス表示装置であって、
前記車両の走行状態に対するサービスの利用条件もしくは利用環境を示す情報を、サービスの内容と共々、前記情報端末にて可視表示可能にすべく前記情報端末に対して配信するサービス配信部を備えたサービス配信装置から配信されたサービスの内容及びサービスの利用条件もしくは利用環境を示す情報に基づいて、サービスの利用条件もしくは利用環境を示す情報をサービスの内容と併せて表示する表示部を備え、
前記表示部は、複数種のサービスの内容を同時に表示するように構成され、それらサービスの内容の同時の表示に際し、利用条件もしくは利用環境の互いに異なるサービスの内容を各別の表示態様にて表示する
ことを特徴とするサービス表示装置。
【請求項１２】
前記利用条件もしくは前記利用環境の互いに異なるサービスの内容についての前記表示部による各別の表示態様での表示は、前記利用条件もしくは前記利用環境が互いに異なる
グループのグループ分け表示である
請求項１１に記載のサービス表示装置。
【請求項１３】
前記利用条件もしくは前記利用環境の互いに異なるサービスの内容についての前記表示部による各別の表示態様での表示は、それらサービスの内容を、互いに異なる配色で色分けする表示である
請求項１１または１２に記載のサービス表示装置。
【請求項１４】
前記サービスには、前記車両が特定の状態にあるときに利用が一時的に規制されるサービスが含まれ、
前記表示部は、前記利用が一時的に規制されるサービスの内容を点滅表示する
請求項１１〜１３のいずれか一項に記載のサービス表示装置。
【請求項１５】
前記利用条件もしくは前記利用環境の互いに異なるサービスの内容についての前記表示部による各別の表示態様での前記表示は、常時点灯表示と点滅表示とが選択して用いられる判別表示である
請求項１１または１２に記載のサービス表示装置。
【請求項１６】
前記車両の走行状態に対するサービスの利用条件を示す前記情報には、サービスを利用するための車両の走行条件が含まれ、
前記表示部は、前記サービスを利用するための車両の走行条件を併せて表示する
請求項１１〜１５のいずれか一項に記載のサービス表示装置。
【請求項１７】
前記表示部は、車両に搭載された前記情報端末に設けられてなる
請求項１１〜１６のいずれか一項に記載のサービス表示装置。
【請求項１８】
車両に搭載もしくは車室内で用いられる情報端末で利用されるサービスの内容を表示可能なサービス表示装置であって、
前記車両の走行状態に対するサービスの利用条件もしくは利用環境を判別する判別部と、
前記判別部にて判別された利用条件もしくは利用環境を示す情報を、サービスの内容と併せて表示する表示部と、を備え、
前記表示部は、複数種のサービスの内容を同時に表示するように構成され、それらサービスの内容の同時の表示に際し、前記判別部にて判別された利用条件もしくは利用環境の互いに異なるサービスの内容を、各別の表示態様にて表示する
ことを特徴とするサービス表示装置。
【請求項１９】
請求項１８に記載のサービス表示装置はさらに、
前記車両の走行条件に対するサービスの利用条件もしくは利用環境が登録されたテーブルを備え、
前記判別部は、前記テーブルを参照して前記利用条件もしくは前記利用環境を判別する
ことを特徴とするサービス表示装置。
【請求項２０】
前記車両の走行状態に対するサービスの利用条件を示す前記情報は、前記車両の走行状態に応じた利用の可否を示す情報であり、
前記車両の走行状態に対するサービスの利用環境を示す前記情報は、前記サービスの利用目的に応じて想定されるサービスの利用環境としての前記車両の走行時の利用環境と、停車時の利用環境と、及び前記車両の走行時及び前記車両の停車時の共通の利用環境とのうちの少なくとも１つを示す情報である
請求項１８または１９に記載のサービス表示装置。
【請求項２１】
前記利用条件もしくは前記利用環境の互いに異なるサービスの内容についての前記表示部による各別の表示態様での前記表示は、前記利用条件もしくは前記利用環境が互いに異なるグループ毎に前記サービスの内容を分けて示すグループ分け表示である
請求項１８〜２０のいずれか一項に記載のサービス表示装置。
【請求項２２】
前記利用条件もしくは前記利用環境の互いに異なるサービスの内容についての前記表示部による各別の表示態様での前記表示は、それらサービスの内容を、互いに異なる配色で色分けする表示である
請求項１８〜２０のいずれか一項に記載のサービス表示装置。
【請求項２３】
前記判別部は、前記車両の走行状態に対するサービスの利用条件を示す情報の中から車両が特定の状態にあるときに利用が一時的に規制されるサービスを判別する機能をさらに有し、
前記表示部は、前記利用が一時的に規制されるサービスの内容を点滅表示する
請求項１８〜２２のいずれか一項に記載のサービス表示装置。
【請求項２４】
前記利用条件もしくは前記利用環境の互いに異なるサービスの内容についての前記表示部による各別の表示態様での前記表示は、常時点灯表示と点滅表示とが選択して用いられる判別表示である
請求項１８〜２０のいずれか一項に記載のサービス表示装置。
【請求項２５】
前記判別部は、前記車両の走行状態に対するサービスの利用条件を示す情報として、サービスを利用するための車両の走行条件を併せて判別するように構成され、
前記表示部は、前記サービスを利用するために前記判別部にて判別される車両の走行条件を併せて表示する
請求項１８〜２４のいずれか一項に記載のサービス表示装置。
【請求項２６】
前記表示部は、車両に搭載された前記情報端末に設けられてなる
請求項１８〜２５のいずれか一項に記載のサービス表示装置。
【手続補正２】
【補正対象書類名】明細書
【補正対象項目名】００１０
【補正方法】変更
【補正の内容】
【００１０】
上記目的を達成するため、本発明に従うサービス配信装置は、車両に搭載もしくは車室内で用いられる情報端末で利用されるサービスを、それら情報端末に配信するサービス配信装置において、前記車両の走行状態に対するサービスの利用条件もしくは利用環境を示す情報を、サービスの内容と共々、前記情報端末にて可視表示可能にすべく前記情報端末に対して配信するサービス配信部と、前記情報端末にて可視表示可能な画像情報を生成する画像情報生成部とを備え、
前記画像情報生成部は、前記サービスが複数種のサービスであるとき、複数種のサービスの内容を、同時表示可能な表示形式の画像情報として生成するとともに、前記利用条件もしくは前記利用環境の互いに異なるサービスの内容を、各別の表示形式の画像情報として生成する。
【手続補正３】
【補正対象書類名】明細書
【補正対象項目名】００１１
【補正方法】変更
【補正の内容】
【００１１】
上記構成によれば、サービス配信部から情報端末に対して配信されるサービスには、車両の走行状態に対するサービスの利用条件や利用環境を示す情報が関連付けられる。そして、こうしたサービスの利用条件や利用環境の内容を示す情報は、該当するサービスの内容とともに上記情報端末に可視表示可能なように、サービス配信部から該当する情報端末に対して配信される。そのため、情報端末では、同情報端末での利用条件や利用環境を示す情報が、該当するサービスの内容とともに可視表示される。このため、情報端末の利用者（ユーザ）は、同情報端末で利用するサービスの取得にあたり、その利用条件や利用環境を示す情報に基づいて、同サービスの利用可能性を事前に認知可能となる。よって、ユーザは、情報端末での利用可能性を有したサービスを選択的にサービス配信部から取得することが可能となり、同情報端末で利用することができないサービスやそのときの環境下では利用が適さないサービスを上記サービス配信装置から不要に取得することが抑制される。これにより情報端末は、利用可能性に見合ったサービスをサービス配信装置から取得することが可能となり、ひいては、サービスの利便性を高めることが可能となる。
また、本発明は、上記サービス配信部により配信されるサービスが複数種のサービスである場合に適用して特に有効である。すなわち、上記構成によればサービス配信装置は、情報端末によって同時表示される複数種のサービスの利用条件や利用環境が互いに異なる場合であっても、それらサービスの内容を示す画像情報を、サービスそれぞれの利用条件や利用環境に応じた表示形式の情報として配信することが可能である。このため上記情報端末が、利用条件や利用環境の互いに異なる複数種のサービスを同時表示する場合であれ、利用者は、車両の走行状態に対して利用可能性の高いサービスや利用可能性の低いサービスを識別することが可能となる。これにより、サービスの利用者は、情報端末を介して取得可能なサービスが複数存在したとしても、それらの利用条件や利用環境を踏まえて、任意のサービスをサービス配信装置から取得することが可能となる。
【手続補正４】
【補正対象書類名】明細書
【補正対象項目名】００１７
【補正方法】変更
【補正の内容】
【００１７】
本発明の一態様では、前記サービス配信装置はさらに、複数種のサービスが予め登録されたデータベースを備え、前記情報関連付け部は、前記データベースに登録されたサービス毎に前記車両の走行状態に対する利用条件もしくは利用環境を示す前記情報を関連付けするように構成され、前記サービス配信部は、前記情報端末からのサービスの配信要求に応じて前記データベースからサービスと該サービスに関連付けされた前記利用条件もしくは利用環境を示す情報とを抽出し、この抽出したサービスの内容及びその利用条件もしくはその利用環境を示す情報を、前記情報端末にて可視表示可能なように情報端末に配信するものである。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００３３
【補正方法】変更
【補正の内容】
【００３３】
上記目的を達成するため、本発明に従うサービス表示装置は、車両に搭載もしくは車室内で用いられる情報端末で利用されるサービスの内容を表示可能なサービス表示装置であって、前記車両の走行状態に対するサービスの利用条件もしくは利用環境を示す情報を、サービスの内容と共々、前記情報端末にて可視表示可能にすべく前記情報端末に対して配信するサービス配信部を備えたサービス配信装置から配信されたサービスの内容及びサービスの利用条件もしくは利用環境を示す情報に基づいて、サービスの利用条件もしくは利用環境を示す情報をサービスの内容と併せて表示する表示部を備え、前記表示部は、複数種のサービスの内容を同時に表示するように構成され、それらサービスの内容の同時の表示に際し、利用条件もしくは利用環境の互いに異なるサービスの内容を各別の表示態様にて表示する。
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】変更
【補正の内容】
【００３６】
また、本発明は、上述のように表示部が、複数種のサービスの内容を同時に表示する場合に適用して特に有効である。すなわち、上記構成によれば表示部は、同時表示される複数種のサービスの利用条件や利用環境が互いに異なる場合であっても、それらサービスの内容を、利用条件や利用環境に応じた表示態様で表示する。このため表示部が、利用条件の互いに異なる複数種のサービスを同時表示する場合であれ、利用者は、車両の走行状態に対して利用可能性の高いサービスや利用可能性の低いサービスを識別することが可能となる。また利用者は、利用環境の互いに異なる複数種のサービスを表示部が同時表示する場合であれ、車両の走行状態に対して利用に適したサービスや、利用に適さないサービスを識別することが可能となる。これにより、サービスの利用者は、情報端末を介して取得可能なサービスが複数存在したとしても、それらの利用条件や利用環境を踏まえて、任意のサービスをサービス配信装置から取得することが可能となる。
【手続補正１０】
【補正対象書類名】明細書
【補正対象項目名】００４８
【補正方法】変更
【補正の内容】
【００４８】
上記目的を達成するため、本発明に従うサービス表示装置は、車両に搭載もしくは車室内で用いられる情報端末で利用されるサービスの内容を表示可能なサービス表示装置であって、前記車両の走行状態に対するサービスの利用条件もしくは利用環境を判別する判別部と、前記判別部にて判別された利用条件もしくは利用環境を示す情報を、サービスの内容と併せて表示する表示部と、を備え、前記表示部は、複数種のサービスの内容を同時に表示するように構成され、それらサービスの内容の同時の表示に際し、前記判別部にて判別された利用条件もしくは利用環境の互いに異なるサービスの内容を、各別の表示態様にて表示する。
【手続補正１１】
【補正対象書類名】明細書
【補正対象項目名】００４９
【補正方法】変更
【補正の内容】
【００４９】
上記構成によればサービス表示装置の上記判別部が、情報端末で利用されるサービスの利用条件や利用環境を判別する。そして表示部が、この判別されたサービスの利用条件や利用環境を示す情報を、該当するサービスの内容と併せて表示する。すなわちサービス表示装置に搭載された上記判別部が、情報端末を介して提供されるサービスの利用条件や利用環境を判別することにより、表示部は、情報端末での利用条件や利用環境を示す情報を、該当するサービスの内容とともに可視表示する。このため、情報端末の利用者は、同情報端末で利用するサービスを取得するにあたり、そのサービスの利用条件や利用環境を示す情報に基づいて、同サービスの利用可能性を事前に認知可能となる。よって利用者は、利用可能性を有したサービスを、情報端末によって選択的に取得することが可能となる。つまり利用者は、利用することができないサービスや現在の環境下では、利用が適さないサービスを情報端末によって不要に取得することが抑制される。これにより利用者は、利用可能性に見合ったサービスを取得することが可能となり、ひいては、サービスの利便性を高めることが可能となる。
また、本発明は、上述のように、サービス表示装置が複数種のサービスの内容を同時に表示する場合に適用して特に有効である。すなわち、上記構成によればサービス表示装置は、同時表示される複数種のサービスの利用条件や利用環境が互いに異なる場合であっても、それらサービスの内容を、利用条件や利用環境に応じた表示態様で表示する。このためサービス表示装置が、利用条件の互いに異なる複数種のサービスを同時表示される場合であれ、サービスの利用者は、車両の走行状態に対して利用可能性の高いサービスや利用可能性の低いサービスを判別することが可能となる。またサービス表示装置が、利用環境の互いに異なる複数種のサービスを同時表示する場合であれ、利用者は、車両の走行状態に対して利用に適したサービスや利用に適さないサービスを判別することが可能となる。これにより、利用者は、情報端末を介して取得可能なサービスが複数存在したとしても、それらの利用条件や利用環境を踏まえて、任意のサービスをサービス配信装置から取得することが可能となる。
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【国際調査報告】
2012095944.tif 000020
2012095944.tif 000021
2012095944.tif 000022
2012095944.tif 000023
2012095944.tif 000024
2012095944.tif 000025